(57)【要約】  屋内環境内のモバイルデバイス測位をサポートする１つまたは複数の電子デバイスにおいて実装され得る様々な方法、装置、および／または製造品が提供される。屋内環境に対応する段階的な測位支援データ（段階的ＰＡＤ）が生成され、および／または配信されることができる。モバイルデバイス測位および／またはナビゲーション能力は、屋内環境に対応する段階的ＰＡＤに少なくとも部分的に基づき得る。段階的ＰＡＤは、複数のモバイルデバイスに供給され得る。所与のモバイルデバイスは、たとえば、段階的ＰＡＤの適用可能な部分を、モバイルデバイスによって少なくとも部分的に実行され得る１つまたは複数の測位機能などに影響を与えるために選択することができる。
2016518584.tif 000002
【特許請求の範囲】
【請求項１】
モバイルデバイスにおいて、
屋内環境に対応するメッセージを受信することと、前記メッセージは、前記屋内環境内または前記屋内環境からしきい値距離内にプロビジョニングされる送信デバイスによってブロードキャストされており、複数のモバイルデバイスによって使用されるための段階的測位支援データ（段階的ＰＡＤ）を備える、
前記メッセージから前記段階的ＰＡＤの特定の部分にアクセスすることと、
前記段階的ＰＡＤの前記特定の部分に、少なくとも部分的に、基づいて前記モバイルデバイスによって、少なくとも部分的に、実行される測位機能に影響を与えることと、
を備える方法。
【請求項２】
前記段階的ＰＡＤは、少なくとも第１の段階の測位支援データと第２の段階の測位支援データとを備える、前記特定の部分は、少なくとも前記第１の段階の測位支援データを備える、請求項１に記載の方法。
【請求項３】
前記特定の部分は、前記第２の段階の測位支援データをさらに備える、請求項２に記載の方法。
【請求項４】
前記段階的ＰＡＤ内では、第１の段階の保護方式が、少なくとも前記第１の段階の測位支援データへのアクセスを制御するように適用され、第２の段階の保護方式が、少なくとも前記第２の段階の測位支援データへのアクセスを制御するように適用される、請求項２に記載の方法。
【請求項５】
前記第１の段階の測位支援データの少なくとも一部分は、（１）前記モバイルデバイスが前記屋内環境内に位置する間前記モバイルデバイスにワイヤレス信号を送信することができる少なくとも１つのワイヤレス信号送信デバイス、および（２）前記少なくとも１つのワイヤレス信号送信デバイスのロケーション、を示している、請求項２に記載の方法。
【請求項６】
前記第２の段階の測位支援データの少なくとも一部分は、前記屋内環境の少なくとも一部分に対応するワイヤレス信号伝搬関連パラメータを示している、請求項２に記載の方法。
【請求項７】
前記段階的ＰＡＤは、少なくとも第３の段階の測位支援データをさらに備え、ここにおいて、前記第３の段階の測位支援データの少なくとも一部分は、
前記屋内環境の少なくとも一部分に対応するナビゲーションパラメータ、および／または
少なくとも前記ナビゲーションパラメータを提供することのできる１つまたは複数のネットワークリソースの識別子、
のうちの少なくとも１つを示している、請求項２に記載の方法。
【請求項８】
前記段階的ＰＡＤは、複数の異なる段階の測位支援データを備える、前記特定の部分は、前記複数の異なる段階の測位支援データのうちのどれが前記測位機能に適用されるかに関する決定に、少なくとも部分的に、基づいている、請求項１に記載の方法。
【請求項９】
前記モバイルデバイスにおいて、
前記メッセージを受信したことに応答して、前記測位機能に対応するワイヤレス信号受信較正プロセスを開始すること、をさらに備える、請求項１に記載の方法。
【請求項１０】
前記ワイヤレス信号受信較正プロセスは、前記メッセージおよび／または前記送信デバイスによってブロードキャストされる１つもしくは複数の後続の信号に、少なくとも部分的に、基づいている、請求項９に記載の方法。
【請求項１１】
モバイルデバイスにおいて使用される装置であって、
屋内環境に対応するメッセージを受信するための手段と、前記メッセージは、前記屋内環境内または前記屋内環境からしきい値距離内にプロビジョニングされる送信デバイスによってブロードキャストされており、複数のモバイルデバイスによって使用される段階的測位支援データ（段階的ＰＡＤ）を備える、
前記メッセージから前記段階的ＰＡＤの特定の部分にアクセスするための手段と、
前記段階的ＰＡＤの前記特定の部分に、少なくとも部分的に、基づいて前記モバイルデバイスによって、少なくとも部分的に、実行される測位機能に影響を与えるための手段と、
を備える、装置。
【請求項１２】
前記段階的ＰＡＤは、少なくとも第１の段階の測位支援データと第２の段階の測位支援データとを備える、前記特定の部分は、少なくとも前記第１の段階の測位支援データを備える、請求項１１に記載の装置。
【請求項１３】
前記特定の部分は、前記第２の段階の測位支援データをさらに備える、請求項１２に記載の装置。
【請求項１４】
前記段階的ＰＡＤ内で、第１の段階の保護方式が、少なくとも前記第１の段階の測位支援データへのアクセスを制御するように適用され、第２の段階の保護方式が、少なくとも前記第２の段階の測位支援データへのアクセスを制御するように適用される、請求項１２に記載の装置。
【請求項１５】
前記第１の段階の測位支援データの少なくとも一部分は、（１）前記モバイルデバイスが前記屋内環境内に位置する間前記モバイルデバイスにワイヤレス信号を送信することができる少なくとも１つのワイヤレス信号送信デバイス、および（２）前記少なくとも１つのワイヤレス信号送信デバイスのロケーション、を示している、請求項１２に記載の装置。
【請求項１６】
前記第２の段階の測位支援データの少なくとも一部分は、前記屋内環境の少なくとも一部分に対応するワイヤレス信号伝搬関連パラメータを示している、請求項１２に記載の装置。
【請求項１７】
前記段階的ＰＡＤは、少なくとも第３の段階の測位支援データをさらに備える、ここにおいて、前記第３の段階の測位支援データの少なくとも一部分は、
前記屋内環境の少なくとも一部分に対応するナビゲーションパラメータ、および／または
少なくとも前記ナビゲーションパラメータを提供することのできる１つまたは複数のネットワークリソースの識別子、
のうちの少なくとも１つを示している、請求項１２に記載の装置。
【請求項１８】
前記段階的ＰＡＤは、複数の異なる段階の測位支援データを備える、前記特定の部分は、前記複数の異なる段階の測位支援データのうちのどれが前記測位機能に適用されるかに関する決定に、少なくとも部分的に、基づいている、請求項１１に記載の装置。
【請求項１９】
前記メッセージを受信したことに応答して、前記測位機能に対応するワイヤレス信号受信較正プロセスを開始するための手段、をさらに備える、請求項１１に記載の装置。
【請求項２０】
前記ワイヤレス信号受信較正プロセスは、前記メッセージおよび／または前記送信デバイスによってブロードキャストされる１つもしくは複数の後続の信号に、少なくとも部分的に、基づいている、請求項１９に記載の装置。
【請求項２１】
ネットワークインターフェースユニットと、
前記ネットワークインターフェースユニットを介して屋内環境に対応するメッセージを受信することと、前記メッセージは、前記屋内環境内または前記屋内環境からしきい値距離内にプロビジョニングされ送信デバイスによってブロードキャストされており、複数のモバイルデバイスによって使用される段階的測位支援データ（段階的ＰＡＤ）を備える、
前記メッセージから前記段階的ＰＡＤの特定の部分にアクセスすることと、
前記段階的ＰＡＤの前記特定の部分に、少なくとも部分的に、基づいて前記モバイルデバイスによって、少なくとも部分的に、実行される測位機能に影響を与えることと、
を行う処理ユニットと、
を備える、モバイルデバイス。
【請求項２２】
前記段階的ＰＡＤは、少なくとも第１の段階の測位支援データと第２の段階の測位支援データとを備える、前記特定の部分は、少なくとも前記第１の段階の測位支援データを備える、請求項２１に記載のモバイルデバイス。
【請求項２３】
前記特定の部分は、前記第２の段階の測位支援データをさらに備える、請求項２２に記載のモバイルデバイス。
【請求項２４】
前記段階的ＰＡＤ内で、第１の段階の保護方式が、少なくとも前記第１の段階の測位支援データへのアクセスを制御するように適用され、第２の段階の保護方式が、少なくとも前記第２の段階の測位支援データへのアクセスを制御するように適用される、請求項２２に記載のモバイルデバイス。
【請求項２５】
前記第１の段階の測位支援データの少なくとも一部分は、（１）前記モバイルデバイスが前記屋内環境内に位置する間前記モバイルデバイスにワイヤレス信号を送信することができる少なくとも１つのワイヤレス信号送信デバイス、および（２）前記少なくとも１つのワイヤレス信号送信デバイスのロケーション、を示している、請求項２２に記載のモバイルデバイス。
【請求項２６】
前記第２の段階の測位支援データの少なくとも一部分は、前記屋内環境の少なくとも一部分に対応するワイヤレス信号伝搬関連パラメータを示している、請求項２２に記載のモバイルデバイス。
【請求項２７】
前記段階的ＰＡＤは、少なくとも第３の段階の測位支援データをさらに備える、ここにおいて、前記第３の段階の測位支援データの少なくとも一部分は、
前記屋内環境の少なくとも一部分に対応するナビゲーションパラメータ、および／または
少なくとも前記ナビゲーションパラメータを提供することのできる１つまたは複数のネットワークリソースの識別子、
のうちの少なくとも１つを示している、請求項２２に記載のモバイルデバイス。
【請求項２８】
前記段階的ＰＡＤは、複数の異なる段階の測位支援データを備える、前記特定の部分は、前記複数の異なる段階の測位支援データのうちのどれが前記測位機能に適用されるかに関する決定に、少なくとも部分的に、基づいている、請求項２１に記載のモバイルデバイス。
【請求項２９】
前記処理ユニットは、さらに、
前記ネットワークインターフェースユニットを介して前記メッセージを受信したことに応答して、前記測位機能に対応するワイヤレス信号受信較正プロセスを開始することを行う、請求項２１に記載のモバイルデバイス。
【請求項３０】
前記ワイヤレス信号受信較正プロセスは、前記メッセージおよび／または前記送信デバイスによってブロードキャストされる１つもしくは複数の後続の信号に、少なくとも部分的に、基づいている、請求項２９に記載のモバイルデバイス。
【請求項３１】
屋内環境に対応するメッセージを受信することと、前記メッセージは、前記屋内環境内または前記屋内環境からしきい値距離内にプロビジョニングされる送信デバイスによってブロードキャストされており、複数のモバイルデバイスによって使用される段階的測位支援データ（段階的ＰＡＤ）を備える、
前記メッセージから前記段階的ＰＡＤの特定の部分にアクセスすることと、
前記段階的ＰＡＤの前記特定の部分に、少なくとも部分的に、基づいて前記モバイルデバイスによって、少なくとも部分的に、実行される測位機能に影響を与えることと、
をモバイルデバイスの処理ユニットによって実行可能であるコンピュータ実装可能命令を記憶した非一時的コンピュータ可読媒体、
を備える物品。
【請求項３２】
前記段階的ＰＡＤは、少なくとも第１の段階の測位支援データと第２の段階の測位支援データとを備える、前記特定の部分は、少なくとも前記第１の段階の測位支援データを備える、請求項３１に記載の物品。
【請求項３３】
前記特定の部分は、前記第２の段階の測位支援データをさらに備える、請求項３２に記載の物品。
【請求項３４】
前記段階的ＰＡＤ内で、第１の段階の保護方式が、少なくとも前記第１の段階の測位支援データへのアクセスを制御するように適用され、第２の段階の保護方式が、少なくとも前記第２の段階の測位支援データへのアクセスを制御するように適用される、請求項３２に記載の物品。
【請求項３５】
前記第１の段階の測位支援データの少なくとも一部分は、（１）前記モバイルデバイスが前記屋内環境内に位置する間前記モバイルデバイスにワイヤレス信号を送信することができる少なくとも１つのワイヤレス信号送信デバイス、および（２）前記少なくとも１つのワイヤレス信号送信デバイスのロケーション、を示している、請求項３２に記載の物品。
【請求項３６】
前記第２の段階の測位支援データの少なくとも一部分は、前記屋内環境の少なくとも一部分に対応するワイヤレス信号伝搬関連パラメータを示している、請求項３２に記載の物品。
【請求項３７】
前記段階的ＰＡＤは、少なくとも第３の段階の測位支援データをさらに備える、ここにおいて、前記第３の段階の測位支援データの少なくとも一部分は、
前記屋内環境の少なくとも一部分に対応するナビゲーションパラメータ、および／または
少なくとも前記ナビゲーションパラメータを提供することのできる１つまたは複数のネットワークリソースの識別子、
のうちの少なくとも１つを示している、請求項３２に記載の物品。
【請求項３８】
前記段階的ＰＡＤは、複数の異なる段階の測位支援データを備える、前記特定の部分は、前記複数の異なる段階の測位支援データのうちのどれが前記測位機能に適用されるかに関する決定に、少なくとも部分的に、基づいている、請求項３１に記載の物品。
【請求項３９】
前記コンピュータ実装可能命令は、前記処理ユニットによって、
前記メッセージを受信したことに応答して、前記測位機能に対応するワイヤレス信号受信較正プロセスを開始すること、をさらに実行可能である、請求項３１に記載の物品。
【請求項４０】
前記ワイヤレス信号受信較正プロセスは、前記メッセージおよび／または前記送信デバイスによってブロードキャストされる１つもしくは複数の後続の信号に、少なくとも部分的に、基づいている、請求項３９に記載の物品。
【請求項４１】
コンピューティングプラットフォームにおいて、
屋内環境に対応する段階的測位支援データ（段階的ＰＡＤ）を生成することと、前記段階的ＰＡＤは少なくとも、
（１）第１のモバイルデバイスが屋内環境に位置する間少なくとも前記第１のモバイルデバイスの第１の測位機能、および、第２のモバイルデバイスが前記屋内環境に位置する間少なくとも前記第２のモバイルデバイスの第２の測位機能、に影響を与える第１の段階の測位支援データと、
（２）第２のモバイルデバイスが前記屋内環境に位置する間少なくとも前記第２のモバイルデバイスにおける前記第２の測位機能に影響を与えるが、前記第１のモバイルデバイスの前記第１の測位機能には影響を与えない第２の段階の測位支援データと、を示し、
前記屋内環境内または前記屋内環境からしきい値距離内にプロビジョニングされた送信デバイスによって第１のモバイルデバイスおよび第２のモバイルデバイスに送信するための前記段階的ＰＡＤを備える、メッセージの少なくとも一部分を生成することと、
を備える方法。
【請求項４２】
前記メッセージ内で、第１の段階の保護方式が、少なくとも前記第１の段階の測位支援データへのアクセスを制御するように適用され、第２の段階の保護方式が、少なくとも前記第２の段階の測位支援データへのアクセスを制御するように適用される、請求項４１に記載の方法。
【請求項４３】
前記第１の段階の測位支援データの少なくとも一部分は、（１）前記屋内環境内に位置する前記１つ又は複数のモバイルデバイスにワイヤレス信号を送信することができる少なくとも１つのワイヤレス信号送信デバイス、および（２）前記少なくとも１つのワイヤレス信号送信デバイスのロケーション、を示している、請求項４１に記載の方法。
【請求項４４】
前記第２の段階の測位支援データの少なくとも一部分は、前記屋内環境の少なくとも一部分に対応するワイヤレス信号伝搬関連パラメータを示している、請求項４１に記載の方法。
【請求項４５】
前記段階的ＰＡＤは、第３のモバイルデバイスが前記屋内環境に位置する間少なくとも前記第３のモバイルデバイスの第３の測位機能に影響を与える第３の段階の測位支援データをさらに示している、ここにおいて、前記第３の段階の測位支援データの少なくとも一部分は、
前記屋内環境の少なくとも一部分に対応するナビゲーションパラメータ、および／または
少なくとも前記ナビゲーションパラメータを提供することのできる１つまたは複数のネットワークリソースの識別子、
のうちの少なくとも１つを示している、請求項４１に記載の方法。
【請求項４６】
前記コンピューティングプラットフォームにおいて、
前記メッセージの少なくとも前記部分を前記送信デバイスに供給することをさらに備える、請求項４１に記載の方法。
【請求項４７】
前記送信デバイスは前記コンピューティングプラットフォームを備える、請求項４１に記載の方法。
【請求項４８】
屋内環境に対応する段階的測位支援データ（段階的ＰＡＤ）を生成するための手段と、前記段階的ＰＡＤは少なくとも、
（１）第１のモバイルデバイスが屋内環境に位置する間少なくとも前記第１のモバイルデバイスの第１の測位機能、および、第２のモバイルデバイスが前記屋内環境に位置する間少なくとも前記第２のモバイルデバイスの第２の測位機能、に影響を与える第１の段階の測位支援データと、
（２）前記第２のモバイルデバイスが前記屋内環境に位置する間少なくとも前記第２のモバイルデバイスにおける前記第２の測位機能に影響を与えるが、前記第１のモバイルデバイスの前記第１の測位機能には影響を与えない第２の段階の測位支援データと、を示している、
前記屋内環境内または前記屋内環境からしきい値距離内にプロビジョニングされた送信デバイスによって第１のモバイルデバイスおよび第２のモバイルデバイスに送信するための前記段階的ＰＡＤを備えるメッセージの少なくとも一部分を生成するための手段と、
を備える装置。
【請求項４９】
前記メッセージ内で、第１の段階の保護方式が、少なくとも前記第１の段階の測位支援データへのアクセスを制御するように適用され、第２の段階の保護方式が、少なくとも前記第２の段階の測位支援データへのアクセスを制御するように適用される、請求項４８に記載の装置。
【請求項５０】
前記第１の段階の測位支援データの少なくとも一部分は、（１）前記屋内環境内に位置する１つまたは複数のモバイルデバイスにワイヤレス信号を送信することができる少なくとも１つのワイヤレス信号送信デバイス、および（２）前記少なくとも１つのワイヤレス信号送信デバイスのロケーション、を示している、請求項４８に記載の装置。
【請求項５１】
前記第２の段階の測位支援データの少なくとも一部分は、前記屋内環境の少なくとも一部分に対応するワイヤレス信号伝搬関連パラメータを示している、請求項４８に記載の装置。
【請求項５２】
前記段階的ＰＡＤは、第３のモバイルデバイスが前記屋内環境に位置する間少なくとも前記第３のモバイルデバイスの第３の測位機能に影響を与える第３の段階の測位支援データをさらに示している、ここにおいて、前記第３の段階の測位支援データの少なくとも一部分は、
前記屋内環境の少なくとも一部分に対応するナビゲーションパラメータ、および／または
少なくとも前記ナビゲーションパラメータを提供することのできる１つまたは複数のネットワークリソースの識別子、
のうちの少なくとも１つを示している、請求項４８に記載の装置。
【請求項５３】
前記メッセージの少なくとも前記部分を前記送信デバイスに供給するための手段をさらに備える、請求項４８に記載の装置。
【請求項５４】
前記装置は前記送信デバイス内にプロビジョニングされる、請求項４８に記載の装置。
【請求項５５】
メモリと、
屋内環境に対応する段階的測位支援データ（段階的ＰＡＤ）を生成することと、前記段階的ＰＡＤは少なくとも、
（１）第１のモバイルデバイスが屋内環境に位置する間少なくとも前記第１のモバイルデバイスの第１の測位機能、および、第２のモバイルデバイスが前記屋内環境に位置する間前記第２のモバイルデバイスの第２の測位機能、に影響を与える第１の段階の測位支援データと、
（２）第２のモバイルデバイスが前記屋内環境に位置する間少なくとも前記第２のモバイルデバイスにおける前記第２の測位機能に影響を与えるが、前記第１のモバイルデバイスの前記第１の測位機能には影響を与えない第２の段階の測位支援データと、を示している、
前記屋内環境内または前記屋内環境からしきい値距離内にプロビジョニングされた送信デバイスによって第１のモバイルデバイスおよび第２のモバイルデバイスに送信するための前記段階的ＰＡＤを備えるメッセージの少なくとも一部分を生成することと、
を行う、処理ユニットと、
を備える、電子デバイス。
【請求項５６】
前記メッセージ内で、第１の段階の保護方式が、少なくとも前記第１の段階の測位支援データへのアクセスを制御するように適用され、第２の段階の保護方式が、少なくとも前記第２の段階の測位支援データへのアクセスを制御するように適用される、請求項５５に記載の電子デバイス。
【請求項５７】
前記第１の段階の測位支援データの少なくとも一部分は、（１）前記屋内環境内に位置する１つまたは複数のモバイルデバイスにワイヤレス信号を送信することができる少なくとも１つのワイヤレス信号送信デバイス、および（２）前記少なくとも１つのワイヤレス信号送信デバイスのロケーション、を示している、請求項５５に記載の電子デバイス。
【請求項５８】
前記第２の段階の測位支援データの少なくとも一部分は、前記屋内環境の少なくとも一部分に対応するワイヤレス信号伝搬関連パラメータを示している、請求項５５に記載の電子デバイス。
【請求項５９】
前記段階的ＰＡＤは、第３のモバイルデバイスが前記屋内環境に位置する間少なくとも前記第３のモバイルデバイスの第３の測位機能に影響を与える第３の段階の測位支援データをさらに示している、ここにおいて、前記第３の段階の測位支援データの少なくとも一部分は、
前記屋内環境の少なくとも一部分に対応するナビゲーションパラメータ、および／または
少なくとも前記ナビゲーションパラメータを提供することのできる１つまたは複数のネットワークリソースの識別子、
のうちの少なくとも１つを示している、請求項５５に記載の電子デバイス。
【請求項６０】
ネットワークインターフェースユニットと、
前記ネットワークインターフェースユニットを介して前記送信デバイスに、前記メッセージの前記少なくとも前記部分を送信することをさらに開始する手段の前記処理ユニット、
をさらに備える、請求項５５に記載の電子デバイス。
【請求項６１】
前記電子デバイスは前記送信デバイス内にプロビジョニングされる、請求項５５に記載の電子デバイス。
【請求項６２】
屋内環境に対応する段階的測位支援データ（段階的ＰＡＤ）を生成することと、前記段階的ＰＡＤは少なくとも、
（１）第１のモバイルデバイスが前記屋内環境に位置する間少なくとも前記第１のモバイルデバイスの第１の測位機能、および、第２のモバイルデバイスが前記屋内環境に位置する間前記第２のモバイルデバイスの第２の測位機能、に影響を与える第１の段階の測位支援データと、
（２）前記第２のモバイルデバイスが前記屋内環境に位置する間少なくとも前記第２のモバイルデバイスにおける前記第２の測位機能に影響を与えるが、前記第１のモバイルデバイスの前記第１の測位機能には影響を与えない第２の段階の測位支援データと、を示している、
前記屋内環境内または前記屋内環境からしきい値距離内にプロビジョニングされた送信デバイスによって第１のモバイルデバイスおよび第２のモバイルデバイスに送信するための前記段階的ＰＡＤを備えるメッセージの少なくとも一部分を生成することと、
を行うように、電子デバイスの処理ユニットによって実行可能である、コンピュータ実装可能命令を記憶した非一時的コンピュータ可読媒体、
を備える物品。
【請求項６３】
前記メッセージ内では、第１の段階の保護方式が、少なくとも前記第１の段階の測位支援データへのアクセスを制御するように適用され、第２の段階の保護方式が、少なくとも前記第２の段階の測位支援データへのアクセスを制御するように適用される、請求項６２に記載の物品。
【請求項６４】
前記第１の段階の測位支援データの少なくとも一部分は、（１）前記屋内環境内に位置する前記１つまたは複数のモバイルデバイスにワイヤレス信号を送信することができる少なくとも１つのワイヤレス信号送信デバイス、および（２）前記少なくとも１つのワイヤレス信号送信デバイスのロケーション、を示している、請求項６２に記載の物品。
【請求項６５】
前記第２の段階の測位支援データの少なくとも一部分は、前記屋内環境の少なくとも一部分に対応するワイヤレス信号伝搬関連パラメータを示している、請求項６２に記載の物品。
【請求項６６】
前記段階的ＰＡＤは、第３のモバイルデバイスが前記屋内環境に位置する間少なくとも前記第３のモバイルデバイスの第３の測位機能に影響を与える第３の段階の測位支援データをさらに示しており、ここにおいて、前記第３の段階の測位支援データの少なくとも一部分は、
前記屋内環境の少なくとも一部分に対応するナビゲーションパラメータ、および／または
少なくとも前記ナビゲーションパラメータを提供することのできる１つまたは複数のネットワークリソースの識別子、
のうちの少なくとも１つを示している、請求項６２に記載の物品。
【請求項６７】
前記コンピュータ実装可能命令は、
前記送信デバイスへの前記メッセージの前記少なくとも前記部分の送信を開始することを、前記処理ユニットによって、さらに実行可能である、請求項６２に記載の物品。
【請求項６８】
前記装置は前記送信デバイス内にプロビジョニングされる、請求項６２に記載の物品。
【請求項６９】
送信デバイスにおいて、
屋内環境に対応する段階的測位支援データ（段階的ＰＡＤ）を取得することと、前記段階的ＰＡＤは少なくとも、
（１）第１のモバイルデバイスが前記屋内環境に位置する間少なくとも前記第１のモバイルデバイスの第１の測位機能、および、第２のモバイルデバイスが前記屋内環境に位置する間前記第２のモバイルデバイスの第２の測位機能、に影響を与える第１の段階の測位支援データと、
（２）前記第２のモバイルデバイスが前記屋内環境に位置する間少なくとも前記第２のモバイルデバイスにおける前記第２の測位機能に影響を与えるが、前記第１のモバイルデバイスの前記第１の測位機能には影響を与えない第２の段階の測位支援データと、を示している、
前記屋内環境内または前記屋内環境からしきい値距離内の第１のモバイルデバイスおよび第２のモバイルデバイスに前記段階的ＰＡＤを備えるメッセージを送信することと、
を備える方法。
【請求項７０】
前記メッセージ内で、第１の段階の保護方式が、少なくとも前記第１の段階の測位支援データへのアクセスを制御するように適用され、第２の段階の保護方式が、少なくとも前記第２の段階の測位支援データへのアクセスを制御するように適用される、請求項６９に記載の方法。
【請求項７１】
前記第１の段階の測位支援データの少なくとも一部分は、（１）前記屋内環境内に位置する１つまたは複数のモバイルデバイスにワイヤレス信号を送信することができる少なくとも１つのワイヤレス信号送信デバイス、および（２）前記少なくとも１つのワイヤレス信号送信デバイスのロケーション、を示している、請求項６９に記載の方法。
【請求項７２】
前記第２の段階の測位支援データの少なくとも一部分は、前記屋内環境の少なくとも一部分に対応するワイヤレス信号伝搬関連パラメータを示している、請求項６９に記載の方法。
【請求項７３】
前記段階的ＰＡＤは、第３のモバイルデバイスが前記屋内環境に位置する間少なくとも前記第３のモバイルデバイスの第３の測位機能に影響を与える第３の段階の測位支援データをさらに示している、ここにおいて、前記第３の段階の測位支援データの少なくとも一部分は、
前記屋内環境の少なくとも一部分に対応するナビゲーションパラメータ、および／または
少なくとも前記ナビゲーションパラメータを提供することのできる１つまたは複数のネットワークリソースの識別子、
のうちの少なくとも１つを示している、請求項６９に記載の方法。
【請求項７４】
屋内環境に対応する段階的測位支援データ（段階的ＰＡＤ）を取得するための手段と、前記段階的ＰＡＤは少なくとも、
（１）第１のモバイルデバイスが屋内環境に位置する間少なくとも前記第１のモバイルデバイスの第１の測位機能、および、第２のモバイルデバイスが前記屋内環境に位置する間少なくとも前記第２のモバイルデバイスの第２の測位機能、に影響を与える、第１の段階の測位支援データと、
（２）第２のモバイルデバイスが前記屋内環境に位置する間少なくとも前記第２のモバイルデバイスにおける前記第２の測位機能に影響を与えるが、前記第１のモバイルデバイスの前記第１の測位機能には影響を与えない、第２の段階の測位支援データと、を示し、
前記屋内環境内または前記屋内環境からしきい値距離内の第１のモバイルデバイスおよび第２のモバイルデバイスに前記段階的ＰＡＤを備えるメッセージを送信するための手段と、
を備える装置。
【請求項７５】
メモリと、
送信機と、
前記メモリから段階的測位支援データ（段階的ＰＡＤ）を取得することと、前記段階的ＰＡＤは、屋内環境に対応し、前記段階的ＰＡＤは少なくとも、
（１）第１のモバイルデバイスが屋内環境に位置する間少なくとも前記第１のモバイルデバイスの第１の測位機能、および第２のモバイルデバイスが前記屋内環境に位置する間前記第２のモバイルデバイスの第２の測位機能、に影響を与える、第１の段階の測位支援データと、
（２）第２のモバイルデバイスが前記屋内環境に位置する間少なくとも前記第２のモバイルデバイスにおける前記第２の測位機能に影響を与えるが、前記第１のモバイルデバイスの前記第１の測位機能には影響を与えない、第２の段階の測位支援データと、を示し、
前記屋内環境内または前記屋内環境からしきい値距離内の第１のモバイルデバイスおよび第２のモバイルデバイスへの、前記送信機を介した、前記段階的ＰＡＤを備えるメッセージの送信を開始することと、
を行う処理ユニットと、
を備える、デバイス。
【請求項７６】
屋内環境に対応する段階的測位支援データ（段階的ＰＡＤ）を取得することと、段階的ＰＡＤは少なくとも、
（１）第１のモバイルデバイスが屋内環境に位置する間少なくとも前記第１のモバイルデバイスの第１の測位機能、および、第２のモバイルデバイスが前記屋内環境に位置する間前記第２のモバイルデバイスの第２の測位機能に、影響を与える第１の段階の測位支援データと、
（２）第２のモバイルデバイスが前記屋内環境に位置する間少なくとも前記第２のモバイルデバイスにおける前記第２の測位機能に影響を与えるが、前記第１のモバイルデバイスの前記第１の測位機能には影響を与えない第２の段階の測位支援データと、を示し、
前記屋内環境内または前記屋内環境からしきい値距離内の第１のモバイルデバイスおよび第２のモバイルデバイスへ前記段階的ＰＡＤを備えるメッセージの送信を開始することと、
をデバイスの処理ユニットによって実行可能なコンピュータ実装可能命令を記憶した非一時的コンピュータ可読媒体を備える物品。
【発明の詳細な説明】
【技術分野】
【０００１】
関連出願
これは、その全体が参照により本明細書に組み込まれる、２０１３年３月１１日に出願された、「ＴＩＥＲＥＤ  ＰＯＳＩＴＩＯＮＩＮＧ  ＡＳＳＩＳＴＡＮＣＥ  ＤＡＴＡ  ＦＯＲ  ＭＯＢＩＬＥ  ＤＥＶＩＣＥＳ  ＷＩＴＨＩＮ  ＡＮ  ＩＮＤＯＯＲ  ＥＮＶＩＲＯＮＭＥＮＴ」の米国非仮特許出願第１３／７９４，２６９号の優先権を主張するＰＣＴ出願である。
【０００２】
[0001]  本明細書で開示する主題は、電子デバイスに関し、より詳細には、屋内環境内のモバイルデバイス測位をサポートする１つまたは複数の電子デバイスによって使用される方法、装置、および製造品に関する。
【背景技術】
【０００３】
[0002]  モバイルデバイスは、その名が示す通り、たとえば、一般にユーザおよび／または場合によっては機械によって保持されて移動することができる。いくつかの非制限的な例として、モバイルデバイスは、セルラー電話、スマートフォン、タブレットコンピュータ、ラップトップコンピュータ、ウェアラブルコンピュータ、ナビゲーションデバイス、トラッキングデバイスなどの形をとり得る。
【０００４】
[0003]  全地球測位システム（「ＧＰＳ」：Global Positioning System）および他の同様の衛星測位システム（ＳＰＳ：satellite positioning system）は、いくつかの条件下でモバイルデバイスのための測位サービスおよびナビゲーションサービスを可能にし得る。たとえば、屋外環境に位置するモバイルデバイスは、衛星によって送信される得られたＳＰＳ信号に基づいていくつかの測位サービスおよびナビゲーションサービスを実行することができる。しかし、それらモバイルデバイスが屋内環境内に位置する場合などのいくつかの例では、たとえば、信号干渉などに起因してそのような送信信号が利用不可能になり得る。
【０００５】
[0004]  したがって、いくつかの屋内環境（indoor environment）では、異なる技法が、測位サービスまたはロケーションサービスを可能にするために使用され得る。たとえば、いくつかの屋内環境内に位置するモバイルデバイスは、地上ベース（terrestrial-based）の１つまたは複数のワイヤレスネットワーキングアクセスポイント（ＡＰ）および／または既知の位置に設置された他の同様のワイヤレス信号送信デバイスまでの距離を推定することによって位置フィックス（position fix）（たとえば、推定ロケーション（estimated location））を得ようとすることができる。そのような距離は、そのような送信デバイスから捕捉されおよび／またはそのような送信デバイスと交換される１つまたは複数のワイヤレス信号の１つまたは複数の信号特性に基づいて公知の技法を使用して決定され得る。
【０００６】
[0005]  さらなる例として、そのような距離は、（たとえば、ＭＡＣ  ＩＤアドレスまたは送信されるメッセージ内に符号化されおよび／または場合によっては捕捉されたワイヤレス信号によって決定することのできる他の同様の情報から）送信デバイスを特定し、（たとえば、測位支援データなどから）送信デバイスのロケーションを特定することによって決定され得る。したがって、たとえば、ほんの数例を挙げると、受信信号強度（ＲＳＳＩ）、ラウンドトリップ時間（ＲＴＴ：round trip time）などの、捕捉されたワイヤレス信号の１つまたは複数の特性を測定することによって、モバイルデバイスから送信デバイスまでの距離の推定値が決定され得る。したがって、適切な距離データが利用可能である場合、に三辺測量（trilateration）および／または他の同様の公知の技法を使用してモバイルデバイスの位置フィックスが決定され得る。いくつかの例では、位置フィックスは、場合によっては地上ベースの１つまたは複数の送信デバイスまでのＳＰＳ擬似距離（pseudorange）よび距離の組合せに基づき得る。
【０００７】
[0006]  測位支援データ（positioning assistance data）は、いくつかの測位機能（positioning function）および／またはナビゲーション機能を実現しおよび／またはその他の点でサポートするのを可能にされる測位機能に有用であり得る多種多様な情報を含んでもよい。たとえば、前述の例では、地上ベースの１つまたは複数の送信デバイスまでのＳＰＳ擬似距離および／または距離を求める際に様々な種類の測位支援データが適用され得る。したがって、測位支援データ内に設けられる情報は、ワイヤレス信号のソースだけでなく測位機能ならびにそれにサポートされる測位能力および／またはナビゲーション能力（navigation capability）にも応じて変化し得る。たとえば、地上ベースの送信デバイスおよび／または他の同様の地上ベースの測位サービスに関連する測位支援データは、ロケーションごとに明確に異なる。
【０００８】
[0007]  場合によっては、測位支援データは、単にモバイルデバイスの大雑把な位置フィックスを得るのに十分な情報のみを提供し得る。たとえば、いくつかの例では、モバイルデバイスの大雑把な位置は、モバイルデバイスの近くのＡＰの位置を示す測位支援データに基づくことができる。したがって、たとえば、いくつかのモバイルデバイス内の測位機能は、（たとえば、信号強度に基づいて）これらのＡＰのうちの１つを選択し、選択されたＡＰの示されたロケーションをモバイルデバイス自体の大雑把な位置として採用し得る。他の例示的な実装形態では、測位機能は、複数のＡＰおよびそこに示された位置に関連する、信号強度、または測定された他の信号特性に基づいてモバイルデバイスの位置フィックスを決定するために、より高度なアルゴリズムを適用することができる。
【０００９】
[0008]  諒解されるように、たとえば、（たとえば、様々なワイヤレス信号伝搬関連パラメータ（wireless signal propagation related parameter）に符号化された）いくつかの信号特性および／または場合によっては（たとえば、様々なナビゲーションパラメータに符号化された）いくつかの環境特性に対応する追加の情報が提供されたときに測位支援データの量が増大することがある。たとえば、いくつかの例では、測位支援データは、屋内環境に対応するとともにロケーションベースのサービス（ＬＢＳ：location based service）などを容易にしおよび／または可能にし得る電子マップなどのすべてまたは一部を含んでもよい。いくつかの例では、１つまたは複数のＡＰに関連する予想されるＲＳＳＩ、ＲＴＴ値などを示す（確率）無線ヒートマップデータ（radio heatmap data）が提供され得る。さらに、いくつかの例では、測位支援データは、ほんの数例を挙げると、ルーティング可能性グラフ、確率ヒートマップ、表示用電子マップなど、またはそれらの何らかの組合せを含み得る。
【００１０】
[0009]  諒解されるように、複数のモバイルデバイスに測位支援データを提供することは、利用可能な測位支援データの量の多さ（かなり量の多いデータもある）および多くが独自の特定の要求、能力、などを有し得る様々な異なる種類のモバイルデバイスにおいて実装され得る異なる測位技法の数を考慮すると、場合によっては複雑な作業になり得る。実際、いくつかの例では、測位支援データの特定のバージョンを様々な異なるモバイルデバイスに提供することを試みることは極めて複雑で、コストがかかり、および／または他の点で非効率的である。
【発明の概要】
【００１１】
[0010]  いくつかの態様によれば、モバイルデバイスによって使用される方法が提供され得る。この方法は、たとえば、屋内環境に対応するメッセージを受信することを備えることができ、メッセージは、屋内環境内または屋内環境からしきい値距離（threshold distance）内にプロビジョニングされる送信デバイスによってブロードキャストされており、複数のモバイルデバイスによって使用される段階的測位支援データ（段階的ＰＡＤ：tiered positioning assistance data）を備える。この方法は、メッセージから段階的ＰＡＤの特定の部分にアクセスすることと、段階的ＰＡＤの特定の部分に少なくとも部分的に基づいてモバイルデバイスによって少なくとも部分的に実行される測位機能に影響を与えることとをさらに備え得る。
【００１２】
[0011]  いくつかの他の態様によれば、モバイルデバイスにおいて使用するための装置が提供され得る。この装置は、たとえば、屋内環境に対応するメッセージを受信するための手段を備えてよく、メッセージは、屋内環境内または屋内環境からしきい値距離内にプロビジョニングされる送信デバイスによってブロードキャストされており、複数のモバイルデバイスによって使用される段階的ＰＡＤを備える。この装置は、メッセージから段階的ＰＡＤの特定の部分にアクセスするための手段と、段階的ＰＡＤの特定の部分に少なくとも部分的に基づいてモバイルデバイスによって少なくとも部分的に実行される測位機能に影響を与えるための手段とをさらに備え得る。
【００１３】
[0012]  さらに別の態様によれば、モバイルデバイスは、ネットワークインターフェースユニットと処理ユニットとを備え得る。処理ユニットは、ネットワークインターフェースユニットを介して屋内環境に対応するメッセージを受信してもよく、メッセージは、屋内環境内または屋内環境からしきい値距離内にプロビジョニングされる送信デバイスによってブロードキャストされており、複数のモバイルデバイスによって使用される段階的ＰＡＤを備える。処理ユニットはさらに、メッセージから段階的ＰＡＤの特定の部分にアクセスし、段階的ＰＡＤの特定の部分に少なくとも部分的に基づいてモバイルデバイスによって少なくとも部分的に実行される測位機能に影響を与え得る。
【００１４】
[0013]  また他の態様によれば、コンピュータ実装可能な命令が記憶された非一時的コンピュータ可読媒体を備える製造品であって、コンピュータ実装可能な命令は、モバイルデバイスの処理ユニットによって、ネットワークインターフェースユニットを介して屋内環境に対応するメッセージを受信することと、メッセージは、屋内環境内または屋内環境からしきい値距離内にプロビジョニングされる送信デバイスによってブロードキャストされており、複数のモバイルデバイスによって使用される段階的ＰＡＤを備える、メッセージから段階的ＰＡＤの特定の部分にアクセスすることと、段階的ＰＡＤの特定の部分に少なくとも部分的に基づいてモバイルデバイスによって少なくとも部分的に実行される測位機能に影響を与えることとを行うように実行可能である製造品が提供される。
【００１５】
[0014]  いくつかのさらなる態様によれば、コンピューティングプラットフォームにおいて使用するための方法が提供され得る。この方法は、屋内環境に対応する段階的ＰＡＤを生成することを備えることができ、段階的ＰＡＤは、（１）第１のモバイルデバイスが屋内環境に位置する間少なくとも第１のモバイルデバイスの第１の測位機能に影響を与え、第２のモバイルデバイスが屋内環境に位置する間少なくとも第２のモバイルデバイスの第２の測位機能に影響を与える第１の段階の測位支援データと、（２）第２のモバイルデバイスが屋内環境に位置する間少なくとも第２のモバイルデバイスの第２の測位機能に影響を与えるが、第１のモバイルデバイスの第１の測位機能には影響を与えない第２の段階の測位支援データとを少なくとも示す。この方法は、屋内環境内または屋内環境からしきい値距離内にプロビジョニングされた送信デバイスによって第１のモバイルデバイスおよび第２のモバイルデバイスに送信される段階的ＰＡＤを備えるメッセージの少なくとも一部分を生成することをさらに備え得る。
【００１６】
[0015]  少なくとも１つの他の態様によれば、屋内環境に対応する段階的ＰＡＤを生成するための手段を備える装置であって、段階的ＰＡＤは、（１）第１のモバイルデバイスが屋内環境に位置する間少なくとも第１のモバイルデバイスの第１の測位機能に影響を与え、第２のモバイルデバイスが屋内環境に位置する間少なくとも第２のモバイルデバイスの第２の測位機能に影響を与える第１の段階の測位支援データと、（２）第２のモバイルデバイスが屋内環境に位置する間少なくとも第２のモバイルデバイスの第２の測位機能に影響を与えるが、第１のモバイルデバイスの第１の測位機能には影響を与えない第２の段階の測位支援データとを少なくとも示す、装置が提供され得る。この装置は、屋内環境内または屋内環境からしきい値距離内にプロビジョニングされた送信デバイスによって第１のモバイルデバイスおよび第２のモバイルデバイスに送信される段階的ＰＡＤを備えるメッセージの少なくとも一部分を生成するための手段をさらに備え得る。
【００１７】
[0016]  さらに別の態様によれば、メモリと処理ユニットとを備える電子デバイスが提供され得る。処理ユニットは、屋内環境に対応する段階的ＰＡＤを生成してもよく、段階的ＰＡＤは、（１）第１のモバイルデバイスが屋内環境に位置する間少なくとも第１のモバイルデバイスの第１の測位機能に影響を与え、第２のモバイルデバイスが屋内環境に位置する間少なくとも第２のモバイルデバイスの第２の測位機能に影響を与える第１の段階の測位支援データと、（２）第２のモバイルデバイスが屋内環境に位置する間少なくとも第２のモバイルデバイスの第２の測位機能に影響を与えるが、第１のモバイルデバイスの第１の測位機能には影響を与えない第２の段階の測位支援データとを少なくとも示している。処理ユニットは、屋内環境内または屋内環境からしきい値距離内にプロビジョニングされた送信デバイスによって第１のモバイルデバイスおよび第２のモバイルデバイスに送信される段階的ＰＡＤを備えるメッセージの少なくとも一部分をさらに生成し得る。
【００１８】
[0017]  いくつかの他の態様によれば、コンピュータ実装可能な命令が記憶された非一時的コンピュータ可読媒体を備える製造品であって、コンピュータ実装可能な命令は、モバイルデバイスの処理ユニットによって、屋内環境に対応する段階的ＰＡＤを生成することと、段階的ＰＡＤは、（１）第１のモバイルデバイスが屋内環境に位置する間少なくとも第１のモバイルデバイスの第１の測位機能に影響を与え、第２のモバイルデバイスが屋内環境に位置する間少なくとも第２のモバイルデバイスの第２の測位機能に影響を与える第１の段階の測位支援データと、（２）第２のモバイルデバイスが屋内環境に位置する間少なくとも第２のモバイルデバイスの第２の測位機能に影響を与えるが、第１のモバイルデバイスの第１の測位機能には影響を与えない第２の段階の測位支援データとを少なくとも示し、屋内環境内または屋内環境からしきい値距離内にプロビジョニングされた送信デバイスによって第１のモバイルデバイスおよび第２のモバイルデバイスに送信される段階的測位支援データを備えるメッセージの少なくとも一部分を生成することとを行うように実行可能である製造品が提供される。
【００１９】
[0018]  また別の態様によれば、送信デバイスにおいて実装することのできる方法は、屋内環境に対応する段階的測位支援データ（段階的ＰＡＤ）を取得することと、段階的ＰＡＤは、（１）第１のモバイルデバイスが屋内環境に位置する間少なくとも第１のモバイルデバイスの第１の測位機能に影響を与え、第２のモバイルデバイスが屋内環境に位置する間少なくとも第２のモバイルデバイスの第２の測位機能に影響を与える第１の段階の測位支援データと、（２）第２のモバイルデバイスが屋内環境に位置する間少なくとも第２のモバイルデバイスの第２の測位機能に影響を与えるが、第１のモバイルデバイスの第１の測位機能には影響を与えない第２の段階の測位支援データとを少なくとも示し、屋内環境内または屋内環境からしきい値距離内の第１のモバイルデバイスおよび第２のモバイルデバイスに段階的ＰＡＤを備えるメッセージを送信することとを備え得る。
【００２０】
[0019]  いくつかの他の態様によれば、屋内環境に対応する段階的測位支援データ（段階的ＰＡＤ）を取得するための手段と、段階的ＰＡＤは、（１）第１のモバイルデバイスが屋内環境に位置する間少なくとも第１のモバイルデバイスの第１の測位機能に影響を与え、第２のモバイルデバイスが屋内環境に位置する間少なくとも第２のモバイルデバイスの第２の測位機能に影響を与える第１の段階の測位支援データと、（２）第２のモバイルデバイスが屋内環境に位置する間少なくとも第２のモバイルデバイスの第２の測位機能に影響を与えるが、第１のモバイルデバイスの第１の測位機能には影響を与えない第２の段階の測位支援データとを少なくとも示し、屋内環境内または屋内環境からしきい値距離内の第１のモバイルデバイスおよび第２のモバイルデバイスに段階的ＰＡＤを備えるメッセージを送信するための手段とを備える装置が提供される。
【００２１】
[0020]  一態様によれば、メモリと、送信機と、処理ユニットとを備えるデバイスであって、メモリから段階的測位支援データ（段階的ＰＡＤ）を取得することと、段階的ＰＡＤは、屋内環境に対応し、（１）第１のモバイルデバイスが屋内環境に位置する間少なくとも第１のモバイルデバイスの第１の測位機能に影響を与え、第２のモバイルデバイスが屋内環境に位置する間少なくとも第２のモバイルデバイスの第２の測位機能に影響を与える第１の段階の測位支援データと、（２）第２のモバイルデバイスが屋内環境に位置する間少なくとも第２のモバイルデバイスの第２の測位機能に影響を与えるが、第１のモバイルデバイスの第１の測位機能には影響を与えない第２の段階の測位支援データとを少なくとも示し、屋内環境内または屋内環境からしきい値距離内の第１のモバイルデバイスおよび第２のモバイルデバイスへの、送信機を介した、段階的ＰＡＤを備えるメッセージの送信を開始することとを行うデバイスが提供される。
【００２２】
[0021]  いくつかの態様によれば、コンピュータ実装可能な命令が記憶された非一時的コンピュータ可読媒体を備える製造品であって、コンピュータ実装可能な命令は、モバイルデバイスの処理ユニットによって、屋内環境に対応する段階的測位支援データ（段階的ＰＡＤ）を取得することと、段階的ＰＡＤは、（１）第１のモバイルデバイスが屋内環境に位置する間少なくとも第１のモバイルデバイスの第１の測位機能に影響を与え、第２のモバイルデバイスが屋内環境に位置する間少なくとも第２のモバイルデバイスの第２の測位機能に影響を与える第１の段階の測位支援データと、（２）第２のモバイルデバイスが屋内環境に位置する間少なくとも第２のモバイルデバイスの第２の測位機能に影響を与えるが、第１のモバイルデバイスの第１の測位機能には影響を与えない第２の段階の測位支援データとを少なくとも示し、屋内環境内または屋内環境からしきい値距離内の第１のモバイルデバイスおよび第２のモバイルデバイスへの、段階的ＰＡＤを備えるメッセージの送信を開始することとを行う製造品が提供される。
【００２３】
[0022]  以下の図を参照しながら非限定的で非網羅的な態様について説明し、ここにおいて、別段の規定がない限り、様々な図の全体を通して、同様の参照番号は同様の部分を指す。
【図面の簡単な説明】
【００２４】
【図１】[0023]  例示的な実装形態による、１つまたは複数の装置が段階的な測位支援データ（段階的ＰＡＤ）に少なくとも部分的に基づいて屋内環境内のモバイルデバイス測位をサポートするのに使用され得る様々な例示的な装置を備える代表的な電子デバイスの構成を示す概略的なブロック図。
【図２】[0024]  例示的な実装形態による、段階的ＰＡＤに少なくとも部分的に基づいて屋内環境内のモバイルデバイス測位をサポートするためにモバイルデバイス内で実装され得る例示的なプロセスを示す流れ図。
【図３】[0025]  例示的な実装形態による、段階的ＰＡＤに少なくとも部分的に基づいて屋内環境内のモバイルデバイス測位をサポートするために電子デバイス内で実装され得る例示的なプロセスを示す流れ図。
【図４】[0026]  例示的な実装形態による、段階的ＰＡＤに少なくとも部分的に基づいて屋内環境内のモバイルデバイス測位をサポートする例示的な電子デバイスのいくつかの特徴を示す概略図。
【図５】[0027]  例示的な実装形態による、段階的ＰＡＤに少なくとも部分的に基づいて屋内環境内のモバイルデバイス測位をサポートする例示的なモバイルデバイスのいくつかの特徴を示す概略図。
【図６】[0028]  一実装形態による、例示的な段階的ＰＡＤを示す概略ブロック図。
【発明を実施するための形態】
【００２５】
[0029]  いくつかの例示的な実装形態では、送信デバイスが、屋内環境内または場合によっては、屋内環境からあるしきい値距離内にプロビジョニングされ、様々な異なるモバイルデバイスによって受信することのできるメッセージをブロードキャストするように構成され得る。本明細書でより詳細に説明するように、そのようなメッセージは、屋内環境に対応する段階的測位支援データ（段階的ＰＡＤ）を備え得る。段階的ＰＡＤの少なくとも一部分は、モバイルデバイスによって少なくとも部分的に実行される測位機能に影響を与えるある方法で選択的にアクセスされ適用され得る。
【００２６】
[0030]  本明細書のいくつかの態様によれば、段階的ＰＡＤは、複数の異なる「段階（tier）」の測位支援データ、たとえば、第１の段階の測位支援データ、第２の段階の測位支援データ、第３の段階の測位支援データ、第４の段階の測位支援データなどを備え得る。いくつかの例示的な実装形態では、測位支援データの少なくとも２つのそのような段階は、異なる測位支援データを備え得る。実際、いくつかの例示的な実装形態では、測位支援データの各々の段階が異なる測位支援データを備え得る。いくつかの例示的な実装形態では、測位支援データの２つ以上の段階は、同じまたは同様であるが、たとえば、様々な測位機能、モバイルデバイスなどによって使用できるように異なるようにフォーマットされた測位支援データを少なくとも部分的に備え得る。
【００２７】
[0031]  したがって、段階的ＰＡＤを備えるメッセージは、いくつかのモバイルデバイスがいくつかの部分、たとえば、段階的ＰＡＤの１つまたは複数の段階のみにアクセスすることによって利益を得ることのできる様々な異なるモバイルデバイスによって少なくとも部分的に獲得され使用され得る。一例として、第１のモバイルデバイスは、第１の段階のＰＡＤのみが有用であり得るように特定の制限を有してもよく、第２のモバイルデバイスは、第１の段階のＰＡＤおよび第２の段階ＰＡＤが有用であり得るようにそれぞれに異なる制限を有してもよく、さらに第３のモバイルデバイスは、第１の段階のＰＡＤ、第２の段階のＰＡＤ、および第３の段階のＰＡＤが有用であり得るように特定の制限を有し得る。別の例では、特定のモバイルデバイスは、第４段階ＰＡＤのみが有用であり得るように制限を有し得る。
【００２８】
[0032]  諒解されるように、上述のようなメッセージの潜在的な利益は、様々な異なるモバイルデバイスに適用可能な測位支援データを提供するために生成され送信されることが必要になり得るメッセージの数が、段階的ＰＡＤを使用することによって実質的に低減することができ、場合によっては単一のメッセージ（たとえば、「汎用（generic）」メッセージ）になることである。
【００２９】
[0033]  さらに、いくつかの例示的な実装形態では、段階的ＰＡＤが屋内環境に関して生成されてよく、所定のメッセージが後で１つまたは複数の送信デバイスによって（たとえば、繰り返し）送信されるように生成されてよい。したがって、別の潜在的な利益は、そのような送信デバイスがスタンドアロンモードで動作し、および／または場合によってはネットワーク化された他のリソースからそれほどのサポートなしに動作し得ることである。実際、いくつかの例では、そのような送信デバイスは、場合によっては特定の測位支援データ（場合によっては動的に作製された測位支援データ）を提供し同様の特定のメッセージを個々のモバイルデバイスおよび／またはモバイルデバイスのいくつかの群に転送するのに必要になることがあるいくつかの他の送信デバイスおよび／または付随するネットワークリソース（たとえば、サーバなど）と比較すると、比較的単純であり、および／またはコスト効率が高い。
【００３０】
[0034]  いくつかの例示的な実装形態では、モバイルデバイスは、段階的ＰＡＤを備えるメッセージを受信すると、複数の異なる段階の測位支援データのうちのどれが、有用であり、たとえば、モバイルデバイスによって少なくとも部分的に実行される測位機能に適用され、および／または場合によっては、測位機能に何らかの方法で影響を与え得るかを決定し得る。
【００３１】
[0035]  したがって、いくつかの例では、モバイルデバイスは、各段階の測位支援データに設けられる情報の種類に少なくとも部分的に基づいて複数の異なる段階の段階的ＰＡＤのうちのどれにアクセスすべきかを決定することができる。たとえば、いくつかの例では、第３の段階ＰＡＤは、屋内環境に対応する電子マップなどを備え得る。したがって、そのような電子マップなどが所与のモバイルデバイスによって実行される測位機能に有用であり得る場合、少なくともそのような例示的な第３の段階のＰＡＤにアクセスすることを決定することができる。逆に、そのような電子マップなどが別のモバイルデバイスによって実行される測位機能には有用ではない場合、そのモバイルデバイスはそのような第３の段階のＰＡＤを単に無視する。
【００３２】
[0036]  別の例では、いくつかの実装形態では、モバイルデバイスは、利用可能な処理能力、利用可能なデータ記憶能力、いくつかの動作モード（たとえば、電力節約モード、緊急測位モード、ユーザ選択モードなど）など、またはそれらの何らかの組合せを示し得るモバイルデバイスの現在の状態などに少なくとも部分的に基づいて複数の異なる段階の測位支援データのうちのどれにアクセスすべきかを決定することができる。たとえば、特定のメッセージ内の段階的ＰＡＤが、モバイルデバイスが屋内環境に位置する間モバイルデバイスによって捕捉することのできるワイヤレス信号を送信し得る潜在的なＷｉＦｉ（登録商標）アクセスポイントを（たとえば、対応するＭＡＣアドレスおよび座標位置によって）示す第１の段階のＰＡＤを備えると仮定する。そのような段階的ＰＡＤが、屋内環境の少なくとも一部内のシグナリング環境に対応する１つまたは複数のワイヤレス信号伝搬関連パラメータ（たとえば、パスロスパラメータ（path loss parameter）など）を示す第２の段階のＰＡＤを備えるとさらに仮定する。そのような第１の段階のＰＡＤおよびそのような第２の段階ＰＡＤがモバイルデバイスによって実行される測位機能に有用であり得るとさらに仮定する。しかし、いくつかの例では、そのようなモバイルデバイスの現在の状態が、第１の段階のＰＡＤまたは第２の段階のＰＡＤのいずれかがもはや有用ではなくなるように何らかの点で測位機能に影響を与えることがある。一例として、モバイルデバイスのそのような現在の状態は、ほんの数例を挙げると、電力消費量を低減させ、ならびに／またはいくつかのデータ処理要件および／もしくはデータ記憶要件を低減させるように働くことがある。逆に、別の現在の状態（たとえば、緊急ロケーションモードなど）では、同じモバイルデバイスがすべての利用可能な段階または場合によっては適用可能な段階の測位支援データを利用しようとすることがあり得る。
【００３３】
[0037]  さらに別の例では、いくつかの実装形態において、モバイルデバイスは、モバイルデバイス、特定のエンティティ／ユーザアカウント、特定のサービスプロバイダなど、またはそれらの何らかの組合せに対応し得るサービスアクセス機能に少なくとも部分的に基づいて複数の異なる段階の測位支援データのうちのどれにアクセスすべきかを決定し得る。したがって、たとえば、サービスアクセス機能は、段階的ＰＡＤ中の１つまたは複数の特定の異なる段階の測位支援データへのアクセスを制限または許容するように働き得る。一例として、いくつかの例では、サービスアクセス機能は、段階的ＰＡＤ中のいくつかのプレミアムタイプ、有料タイプ、および／または場合によっては拡張タイプの測位支援データにアクセスできることを示し得る。
【００３４】
[0038]  この理由および／またはいくつかの他の理由で、いくつかの例示的な実装形態では、段階的ＰＡＤの１つまたは複数の特定の段階へのアクセスを制御するために１つまたは複数の保護方式（protection scheme）（たとえば、符号化、暗号化など）が適用され得る。したがって、たとえば、いくつかの例では、少なくとも第１の段階のＰＡＤへのアクセスを制御するために第１の段階の保護方式が適用されてもよく、少なくとも第２の段階のＰＡＤへのアクセスを制御するために第２の段階の保護方式が適用され得る。別の例では、段階的ＰＡＤ中の２つ以上の段階の測位支援データ（たとえば、第５段階測位支援データおよび第６段階測位支援データ）へのアクセスを制御するために特定の保護方式が適用され得る。
【００３５】
[0039]  請求された主題は必ずしもそのように限定されるとは限らないが、特定の例示的な実装形態では、段階的ＰＡＤは３つの段階を備え得る。ここで、たとえば、第１の段階のＰＡＤは、すべてではないとしても大部分のモバイルデバイスに有用であり得、モバイルデバイスが屋内環境に位置する間モバイルデバイスによって捕捉し得るワイヤレス信号を送信することのできる１つまたは複数のワイヤレス信号デバイスおよびそのような信号送信デバイスのロケーションを示し得る。この例では、第２の段階のＰＡＤは、屋内環境の少なくとも一部分に対応する１つまたは複数のワイヤレス信号伝搬関連パラメータを示し得る。ここで、たとえば、１つまたは複数のワイヤレス信号伝搬関連パラメータパラメータは、いくつかのワイヤレス送信デバイスおよび／または信号の送信電力、チャネル特性などを示し得る。
【００３６】
[0040]  引き続き上記の例について説明すると、第３の段階のＰＡＤは、屋内環境の少なくとも一部分に対応する１つもしくは複数のナビゲーションパラメータ、および／または場合によっては、１つまたは複数のそのようなナビゲーションパラメータのすべてまたは一部を提供することのできる１つまたは複数のネットワークリソース（たとえば、測位サーバ、ロケーションベースのサービスデバイスなど）の識別子（たとえば、ユニバーサルリソースロケータ（ＵＲＬ）など）を示し得る。したがって、たとえば、１つまたは複数のナビゲーションパラメータは、屋内環境に対応する電子マップなどのいくつかのフィーチャを示し得る。したがって、たとえば、１つまたは複数のナビゲーションパラメータは、モバイルデバイスを運ぶユーザおよび／または機械によるモバイルデバイスのナビゲーションに影響を与えることがある屋内環境内の１つまたは複数の対象物を示し得る。いくつかの例では、いくつかのモバイルデバイスが屋内環境に対応する電子マップなどを生成するのを可能にし得る１つまたは複数のナビゲーションパラメータが設けられ得る。別の例では、１つまたは複数のナビゲーションパラメータは、たとえば、ルーティング可能性グラフなどにおいて示され得るような１つまたは複数の適用可能な経路を示し得る。いくつかの例では、いくつかのモバイルデバイスが屋内環境に対応するルーティング可能性グラフなどを生成するのを可能にし得る１つまたは複数のナビゲーションパラメータが設けられ得る。別の例では、１つまたは複数のナビゲーションパラメータは、屋内環境の電子マップに対応する無線ヒートマップなどを示し得る。いくつかの例では、いくつかのモバイルデバイスが屋内環境に対応する無線ヒートマップなどを生成するのを可能にし得る１つまたは複数のナビゲーションパラメータが設けられ得る。
【００３７】
[0041]  いくつかの例示的な実装形態では、モバイルデバイスは、段階的ＰＡＤを備えるメッセージを受信したことに応答して、たとえば測位機能に対応するワイヤレス信号受信較正プロセスを開始し得る。いくつかの例では、そのようなワイヤレス信号受信較正プロセスは、メッセージ自体、ならびに／あるいは１つもしくは複数の後続のメッセージ、および／または１つまたは複数の送信デバイスによってブロードキャストされる他の同様の信号に少なくとも部分的に基づいてよい。たとえば、ワイヤレス信号受信較正プロセスは、モバイルデバイスによって捕捉される１つまたは複数のワイヤレス信号に関する受信信号強度インジケータ（ＲＳＳＩ：received signal strength indicator）などに少なくとも部分的に基づいてよい。
【００３８】
[0042]  いくつかの他の態様によれば、屋内環境に対応する段階的ＰＡＤを生成するために１つまたは複数のコンピューティングプラットフォームにおいて使用される方法が提供され得る。ここで、たとえば、１つまたは複数のコンピューティングプラットフォームは、第１のモバイルデバイスが屋内環境に位置する間少なくとも第１のモバイルデバイスの測位機能に影響を与え、第２のモバイルデバイスが屋内環境に位置する間少なくとも第２のモバイルデバイスの測位機能に影響を与えるように少なくとも第１の段階のＰＡＤを示す段階的ＰＡＤを生成し得る。さらに、たとえば、そのような段階的ＰＡＤは、第２のモバイルデバイスがそのような屋内環境に位置する間少なくとも第２のモバイルデバイスにおける第２の測位機能に影響を与えるが、第１のモバイルデバイスにおける第１の測位機能には影響を与えないように少なくとも第２の段階のＰＡＤを示し得る。
【００３９】
[0043]  そのような１つまたは複数のコンピューティングプラットフォームは、屋内環境内または屋内環境からしきい値距離内にプロビジョニングされた送信デバイスによって少なくともそのような第１のモバイルデバイスおよびそのような第２のモバイルデバイスに送信される段階的ＰＡＤを備えるメッセージの少なくとも一部分をさらに生成し得る。したがって、いくつかの例では、そのような１つまたは複数のコンピューティングプラットフォームは、そのような送信デバイスとは別個にプロビジョニングされてもよく、メッセージの少なくとも一部分を（たとえば、１つまたは複数のワイヤード通信リンクおよび／もしくはワイヤレス通信リンク、ネットワーク、または場合によっては非有形コンピュータ可読媒体を介して）送信デバイスに供給し得る。しかし、他の例では、そのような１つまたは複数のコンピューティングプラットフォームはそのような送信デバイスの一部としてプロビジョニングされ得る。
【００４０】
[0044]  このことを念頭に置いて、次に、この例では、それぞれ装置１０４−１、１０４−２、および１０４−３を有するモバイルデバイス１０２−１、１０２−２、および１０２−３によって代表される複数のモバイルデバイス１０１を備える例示的な構成１００を示す概略ブロック図である図１に注目する。装置１０４−１、１０４−２、および１０４−３は、段階的ＰＡＤ１０６を備えるメッセージ１０５を取得し得る。いくつかの例では、装置１０４−１、１０４−２、および１０４−３のうちの２つ以上の装置は、同じメッセージ（すなわち、メッセージ１０５）を受信したときに、それぞれのメッセージ１０５における段階的ＰＡＤ１０６内の同じ部分（たとえば、測位支援データの１つまたは複数の特定の段階）に（独立に）アクセスし得る。いくつかの例では、装置１０４−１、１０４−２、および１０４−３のうちの２つ以上の装置は、それぞれのメッセージ１０５における段階的ＰＡＤ１０６のそれぞれに異なる部分（たとえば、１つまたは複数の異なる段階、段階の１つまたは複数の異なる組）にアクセスし得る。したがって、いくつかの例では、メッセージ１０５は、たとえば、モバイルデバイスの能力、ニーズ、ユーザなどに応じて、様々なモバイルデバイスによって選択的にアクセスされ適用される様々な段階の測位支援データを備える一種の「汎用」メッセージとして働き得る。
【００４１】
[0045]  いくつかの例示的な実装形態では、段階的ＰＡＤ１０６は、電子デバイス１１０によって図１に代表される１つまたは複数の電子デバイスによって生成され得る。一例として、電子デバイス１１０は、段階的ＰＡＤ１０６およびいくつかの例ではメッセージ１０５のすべてまたは一部を生成するために装置１１２−１を備えるコンピューティングプラットフォーム（たとえば、サーバなど）を備え得る。図示されているように、段階的ＰＡＤ１０６は、ここでは第１の段階のＰＡＤ１０７−１、第２の段階のＰＡＤ１０７−２、第３の段階のＰＡＤ１０７−３、．．．、第ｎ段階のＰＡＤ１０７−ｎによって表される複数の段階１０７を備え得る。
【００４２】
[0046]  いくつかの例では、装置１１２−１は、１つまたは複数の他のリソースから複数の段階１０７のうちの１つまたは複数に関する適用可能な測位支援データを取得することによって段階的ＰＡＤ１０６のすべてまたは一部を生成し得る。したがって、たとえば、いくつかの例では、装置１１２−１は、たとえば、特定の段階の測位支援データのすべてまたは一部を求めるモバイルデバイスからの要求に応答して、そのような測位支援データをモバイルデバイスに供給するように構成され得る１つまたは複数の他のリソース１６０（たとえば、１つまたは複数の他の電子デバイス）からそのような測位支援データを取得し得る。
【００４３】
[0047]  いくつかの例では、装置１１２−１は、１つまたは複数のデータファイルおよび／またはユーザ入力から１つまたは複数の段階１０７のうちの１つまたは複数に関する適用可能な測位支援データを取得することによって段階的ＰＡＤ１０６のすべてまたは一部を生成し得る。したがって、たとえば、いくつかの例では、段階的ＰＡＤ１０６のうちのいくつかに、管理者による入力および／またはその他の方法による特定、コンピュータ可読媒体からのコピー、別の電子デバイスからのダウンロード、ハードコピードキュメントからのスキャンなどが実行され得る。
【００４４】
[0048]  いくつかの例示的な実装形態では、測位支援データの集合体として働くことに加えてまたはその代わりに、いくつかの例では、装置１１２−１は（たとえば、公知の技法を使用して）段階的ＰＡＤ１０６のすべてまたは一部を生成し得る。
【００４５】
[0049]  例示的な構成１００に示すように、電子デバイス１１０は通信リンク１１１を介してネットワーク１２０に接続され得る。したがって、電子デバイス１１０内の装置１１２−１は、たとえばネットワーク１２０および通信リンク１６１を介して他のリソース１６０にアクセスし得る。さらに、装置１１２−１の電子デバイス１１０は、１つまたは複数のモバイルデバイスにメッセージ１０５を送信するために屋内環境１０８内または屋内環境の近くにプロビジョニングされ得る１つまたは複数の送信デバイスにメッセージ１０５および／または段階的ＰＡＤ１０６のすべてまたは一部を供給し得る。例示的な構成１００では、そのような送信デバイスは、屋内環境１０８内に配置されるように図示された送信デバイス（ＴＤ：transmitting device）１５０−１、および屋内環境１０８のしきい値距離１５１内に配置されるように示されているＴＤ１５０-２によって代表される。ＴＤ１５０−１は、場合によっては通信リンク１２１を介してネットワーク１２０に接続されるように示されている。いくつかの例では、図示されていないが、ＴＤ１５０−１は１つまたは複数の他の電子デバイスに直接接続され得る。図示されていないが、ＴＤ１５０−２は、ネットワーク１２０に接続され、ならびに／または直接的または間接的に１つもしくは複数の他の電子デバイスに接続され得る。いくつかの例示的な実装形態では、ＴＤ１５０−１および／またはＴＤ１５０−２はスタンドアロンデバイスを代表し得る。
【００４６】
[0050]  実線および／または破線を使用して示されているが、通信リンク１１１、１２１、１４１、および１６１が１つまたは複数のワイヤード／ファイバ通信リンクおよび／またはワイヤレス通信リンク、ならびに場合によっては追加のデバイスおよび／またはサービスを表すことを理解されたい。
【００４７】
[0051]  ＴＤ１５０−１およびＴＤ１５０−２は、別個に図示され屋内環境１０８に対してそれぞれに異なる位置に配置されているが、いくつかの例では、同じもしくは同様の能力を有し、および／または構成要素／形態を備え得る。いくつかの例示的な実装形態では、ＴＤ１５０−１によって示されているように、送信デバイスは電子デバイス１１０内の装置１１２−１から段階的ＰＡＤ１０６を取得し得る。いくつかの例では、そのような送信デバイスは、たとえば電子デバイス１１０内の装置１１２−１からメッセージ１０５の少なくとも一部分を取得し得る。さらに別の例では、そのような送信デバイスは、電子デバイス１１０内の装置１１２−１から取得された段階的ＰＡＤ１０６に少なくとも部分的に基づいてメッセージ１０５のすべてまたは一部を生成し得る。
【００４８】
[0052]  いくつかの他の例示的な実装形態では、ＴＤ１５０−１は、いくつかの例では装置１１２−１と同じもしくは同様であってよく、および／またはたとえば、上記に装置１１２−１に関して説明した同様の技法を使用して段階的ＰＡＤ１０６のすべてもしくは一部を生成し得る装置１１２−２を備え得る。装置１１２−２は、ワイヤレス信号１５２−１によって示されるように後にＴＤ１５０−１によって送信され得るメッセージ１０５のすべてまたは一部を生成し得る。図示されていないが、ＴＤ１５０−２は、ワイヤレス信号１５２−２によって示されるように同様に生成されたメッセージ１０５を最終的に送信するように同様に構成され得る。
【００４９】
[0053]  したがって、いくつかの例では、本明細書で提供する技法のすべてまたは一部は、１つまたは複数のモバイルデバイスに送信され得る段階的ＰＡＤ１０６のすべてもしくは一部および／またはメッセージ１０５のすべてもしくは一部を生成するように１つまたは複数の電子デバイス内の１つまたは複数の装置において実装され得る。
【００５０】
[0054]  いくつかの実装形態では、１つまたは複数の送信デバイスは、特定の屋内環境１０８に関してメッセージ１０５を送信するようにプロビジョニングされ得る。いくつかの例では、屋内環境１０８のすべての領域または場合によっては特定の領域のみが単一の送信デバイスのカバレージ領域内に位置し得る。いくつかの実装形態では、屋内環境１０８は、屋内環境１０８の所望のレベルのカバレージを設けるように複数の送信デバイスを配置させることによって便益を得ることができる。たとえば、複数のレベルを有する屋内環境は、いくつかの適用可能なレベル内の適切なカバレージを設けるように複数の送信デバイスを配置させることによって便益を得ることができる。
【００５１】
[0055]  いくつかの例では、１つまたは複数の送信デバイスは、モバイルデバイスが屋内環境１０８に出入りすることができる開口部１０９（たとえば、出入口、階段、エレベータなど）の所にまたはその近くにプロビジョニングされ得る。またさらに、いくつかの例では、１つまたは複数の送信デバイスは、モバイルデバイス内の測位機能に対応するワイヤレス信号受信較正プロセスをサポートするように特定のロケーションにプロビジョニングされ得る。
【００５２】
[0056]  いくつかの実装形態では、屋内環境内の特定の領域および／または領域内のエンティティ／サービス向けに１つまたは複数の送信デバイスを設けさせると便益を得ることができる。たとえば、ショッピングモール内の大きいテナントストアは、ストア自体の送信デバイスをショッピングモールおよび／またはストアの入口の所にまたはその近く、場合によっては（たとえば、ショッピングモールに関するいくつかの測位支援データおよび／または段階的ＰＡＤを供給するようにプロビジョニングされた）１つまたは複数の他の送信デバイスのそばまたは近くに（たとえば、ストアに対応する段階的ＰＡＤの形をした特定の／拡張された測位支援データを提供するように）プロビジョニングすることによって便益を得ることができる。
【００５３】
[0057]  構成１００は、いくつかが測位に使用され得るワイヤレス信号を使用して屋内環境１０８内に位置するモバイルデバイスと通信するように他の送信デバイス（たとえば、測位ビーコン送信デバイス、ワイヤレスネットワークアクセスポイント、フェムトセル／ピコセル、または他の同様の通信ネットワーク拡張デバイスなど）が、プロビジョニングされ得る。したがって、代表的な例として、アクセスポイント（ＡＰ：access point）１４２−１および１４２−２がそれぞれワイヤレス通信リンク１４４−１および１４４−２を介して通信するように示されている。この例では、ＡＰ１４２−１は屋内環境１０８の外側に配置されるように示され、ＡＰ１４２−２は屋内環境１０８内に配置されるように示されている。アクセスポイントのうちの１つまたは複数は、たとえばＡＰ１４２−１および通信リンク１４１によって表されているようにネットワーク１２０に接続され得る。
【００５４】
[0058]  本明細書ではいくつかの例が提示されているが、屋内環境に対して様々なワイヤレス信号送信／トランシーバデバイスおよび／またはその構成がプロビジョニングされてもよく、多くのそのようなシステムが公知であり、また本開示の範囲を超えていることを認識されたい。同様に、対応するワイヤレス信号ベースの様々な測位技法などまたはそれらの何らかの組合せも公知であり、また本開示の範囲を超えている。
【００５５】
[0059]  ネットワーク１２０は、ワイヤードおよび／またはワイヤレス電子通信をサポートすることが可能な、１つまたは複数の他の電子デバイスおよび／または通信設備／リソースのすべてまたは一部を表すことが意図される。したがって、たとえば、ネットワーク１２０は、電話網、セルラー電話網、ワイヤレス通信ネットワーク、イントラネット、インターネットなど、またはそれらの何らかの組合せのすべてまたは一部を備え得る。
【００５６】
[0060]  さらに図示されるように、いくつかの実装形態では、構成１００は、時々、モバイルデバイスによって捕捉されて、少なくとも部分的に測位機能をサポートするために使用され得る適用可能ワイヤレス信号を送信することができる、１つまたは複数の空間測位システム（ＳＰＳ：space positioning system）１３０を備え得る。ここでは、たとえば、ＳＰＳ１３０は、その各々が１つまたは複数のＳＰＳ信号１３４を送信することができる複数の宇宙船（ＳＶ：space vehicle）１３２を備え得る。いくつかの例では、屋内環境１０８内のモバイルデバイスが、場合によっては、ＳＰＳ信号１３４のみに基づいて位置フィックスを実行するようにＳＰＳ信号１３４を適切に捕捉するように使用可能であり得ることを理解されたい。したがって、モバイルデバイス内の測位機能は、たとえばＡＰ１４２−１、ＡＰ１４２−２などの１つまたは複数の地上ベースの送信デバイスから取得された１つまたは複数のワイヤレス信号に少なくとも部分的に基づいて位置フィックスを実行することを試み得る。
【００５７】
[0061]  図示されているように、１０２−１は、たとえばＴＤ１５０−１などの送信デバイスからメッセージ１０５を取得するために装置１０４−１を備える。装置１０４−１は、段階的ＰＡＤ１０６の特定の部分にアクセスし、そのような特定の部分に少なくとも部分的に基づいて測位機能１０３−１に影響を与え得る。測位機能１０３−１は、いくつかの例では、モバイルデバイス１０２−１によって独立に実行され得る。いくつかの他の例では、測位機能１０３−１は、１つまたは複数の他の電子デバイスの助けを得て実行され得る。
【００５８】
[0062]  同様に、モバイルデバイス１０２-２は、たとえばＴＤ１５０-１などの送信デバイスからメッセージ１０５を取得するために装置１０４−２を備える。装置１０４-２は、段階的ＰＡＤ１０６の特定の部分にアクセスし、そのような特定の部分に少なくとも部分的に基づいて測位機能１０３-２に影響を与え得る。測位機能１０３-２は、いくつかの例では、モバイルデバイス１０２-２によって独立に実行され得る。いくつかの他の例では、測位機能１０３-２は、１つまたは複数の他の電子デバイスの助けを得て実行され得る。
【００５９】
[0063]  モバイルデバイス１０２-３は、たとえばＴＤ１５０-１などの送信デバイスからメッセージ１０５を取得するために装置１０４−３を備える。装置１０４-３は、段階的ＰＡＤ１０６の特定の部分にアクセスし、そのような特定の部分に少なくとも部分的に基づいて測位機能１０３-３に影響を与え得る。測位機能１０３-３は、いくつかの例では、モバイルデバイス１０２-３によって独立に実行され得る。いくつかの他の例では、測位機能１０３-３は、１つまたは複数の他の電子デバイスの助けを得て実行され得る。
【００６０】
[0064]  次に、たとえばモバイルデバイス１０２−１などのモバイルデバイス内で少なくとも部分的に実装され得る例示的なプロセス２００を示すフロー図である図２に注目する。
【００６１】
[0065]  例示的なブロック２０２では、屋内環境１０８に対応するメッセージ１０５は、たとえば、屋内環境１０８内にプロビジョニングされたＴＤ１５０−１によってブロードキャストされた１つもしくは複数のワイヤレス信号１５２−１または屋内環境１０８からのしきい値距離１５１内にプロビジョニングされたＴＤ１５０−２によってブロードキャストされた１つもしくは複数のワイヤレス信号１５２−２を介して受信され得る。メッセージ１０５は、複数のモバイルデバイス１０１によって使用される段階的ＰＡＤ１０６を備え得る。したがって、たとえば、メッセージ１０５はモバイルデバイス１０２−２および１０２−３によって同様に受信され得る。
【００６２】
[0066]  例示的なブロック２０４では、段階的ＰＡＤ１０６の特定の部分がメッセージ１０５からアクセスされ得る。たとえば、モバイルデバイス１０２−１内の装置１０４−１は、複数の段階１０７の測位支援データから１つまたは複数の段階の測位支援データを選択するとともに、モバイルデバイス１０２−１に有用であり得る段階を選択し得る。例示的なブロック２０６では、測位機能１０３−１は、段階的ＰＡＤの特定の部分に少なくとも部分的に基づいてモバイルデバイスによって少なくとも部分的に実行される。
【００６３】
[0067]  （破線のボックスによって表されるように任意であり得る）例示的なブロック２０８において、受信メッセージ１０５に応答して１つまたは複数のワイヤレス信号受信較正プロセスが開始され得る。たとえば、いくつかの例では、測位機能１０３−１に対応し得る（たとえば、影響を与え得る、利用し得る、など）モバイルデバイス１０２−１においてワイヤレス信号受信較正プロセスが開始され得る。
【００６４】
[0068]  次に、電子デバイス１１０、送信デバイス（たとえば、ＴＤ１５０−１）など、またはそれらの何らかの組合せにプロビジョニングされ得るコンピューティングプラットフォームにおいて少なくとも部分的に実装され得る例示的なプロセス３００を示す流れ図である図３に注目する。
【００６５】
[0069]  例示的なブロック３０２では、屋内環境１０８に対応する段階的ＰＡＤ１０６が生成され得る。いくつかの例示的な実装形態では、段階的ＰＡＤ１０６は、（１）第１のモバイルデバイスが屋内環境１０８に位置する間少なくとも第１のモバイルデバイスの測位機能１０３−１に影響を与え、第２のモバイルデバイス１０２−２が屋内環境１０８に位置する間少なくとも第２のモバイルデバイス１０２−２の測位機能１０３−２に影響を与える第１の段階のＰＡＤ１０７−１、および（２）第２のモバイルデバイスが屋内環境１０８に位置する間少なくとも第２のモバイルデバイスにおける第２の測位機能１０３−２に影響を与えるが、第１のモバイルデバイス１０２−１には影響を与えない第２の段階のＰＡＤ１０７−２を少なくとも示し得る。したがって、たとえば、いくつかの例では、モバイルデバイス１０２−１は、第１の段階のＰＡＤ１０７−１を利用することのみが可能であってよく、一方、モバイルデバイス１０２−２はさらに、第１の段階のＰＡＤ１０７−１と第２の段階のＰＡＤ１０７−２の両方を利用することが可能であり得る。前述のように、いくつかの例では、装置１０４−１は、測位機能１０３−１によって使用されるように適用可能な段階的ＰＡＤ１０６の特定の部分を選択するように第１のモバイルデバイス１０２−１に設けられ得る。同様に、いくつかの例では、装置１０４-２は、測位機能１０３-２によって使用されるように適用可能な段階的ＰＡＤ１０６の特定の部分を選択するように第２のモバイルデバイス１０２-２に設けられ得る。
【００６６】
[0070]  例示的なブロック３０４では、送信デバイス、たとえば、屋内環境１０８内にプロビジョニングされたＴＤ１５０−１および／または屋内環境１０８からしきい値距離１５１内にプロビジョニングされたＴＤ１５０−２によって１つまたは複数のモバイルデバイスに送信される段階的ＰＡＤ１０６を備えるメッセージ１０５の少なくとも一部分が生成され得る。前述のように、各々がたとえばその特定のニーズ、制約などに基づいて段階的ＰＡＤ１０６の特定の部分を選択し得る複数のモバイルデバイス１０１によって同じメッセージ１０５が受信され得る。
【００６７】
[0071]  （いくつかの実装形態では任意であり得る）例示的なブロック３０６では、メッセージ１０５の少なくとも上記の部分が、たとえば、ＴＤ１５０−１および／またはＴＤ１５０−２などの送信デバイスに供給され得る。ここで、たとえば、いくつかの例では、メッセージ１０５のすべてまたは一部が電子デバイス１１０から１つまたは複数の通信リンクおよび／またはネットワーク１２０の適用可能な送信デバイスを介して送信され得る。いくつかの他の例では、メッセージ１０５のすべてまたは一部が、コンピュータ可読媒体を介して１つまたは複数の適用可能な送信デバイスに供給され得る。
【００６８】
[0072]  例示的なブロック３０６はいくつかの例では不要である。たとえば、例示的なブロック３０６は、ＴＤ１５０−１が例示的なブロック３０２および／または３０４のすべてまたは一部を実装するために装置１１２−２を備える場合不要になることがある。したがって、例示的なブロック３０６は、そのような適用可能な送信デバイスが、それがすでにメッセージ１０５および／または段階的ＰＡＤ１０６を有するときにそれがそのように生成されるので不要になることがある。
【００６９】
[0073]  しかし、いくつかの例では、例示的なブロック３０６は、装置１１２−２を備えるＴＤ１５０−１がメッセージ１０５および／または段階的ＰＡＤ１０６のすべてまたは一部を１つまたは複数の他の（適用可能な）送信デバイスにさらに送信する予定である場合にＴＤ１５０−１に有用であり得る。したがって、たとえば、いくつかの例では、ＴＤ１５０−１はメッセージ１０５および／または段階的ＰＡＤ１０６のすべてまたは一部をたとえば直接的または間接的なワイヤード通信リンクおよび／またはワイヤレス通信リンクを介してＴＤ１５０−２に送信し得る。（図示せず）。
【００７０】
[0074]  さらにプロセス３００に示されているように、いくつかの例示的な実装形態では、段階的ＰＡＤ１０６が例示的なブロック３０２において取得されてもよく、例示的なブロック３０８では、段階的ＰＡＤ１０６を備えるメッセージが、たとえば屋内環境１０８内または屋内環境１０８からしきい値距離内に位置し得る第１のモバイルデバイスおよび第２のモバイルデバイスに送信されてよい。したがって、図示されているように、例示的なブロック３０２および３０８は、いくつかの例ではスタンドアロンデバイスとしてプロビジョニングされ得る送信デバイスにおいて実装され得る。したがって、たとえば、段階的ＰＡＤ１０６は、段階的ＰＡＤ１０６および／またはメッセージメッセージ１０５を直接的または間接的な通信リンクを介して受信する代わりにあるいは場合によっては受信することに加えてまたは受信することの代替として、例示的なブロック３０２において上記のような送信デバイスによってコンピュータ可読媒体から取得され得る。
【００７１】
[0075]  次に、電子デバイス１１０、および／またはその内に供給された装置１１２の一部として提供され得る例示的な専用コンピューティングプラットフォーム４００のいくつかの特徴を示す概略ブロック図である図４に注目する。いくつかの実装形態では、電子デバイス１１０は、たとえばアクセスポイントなどのワイヤレストランシーバデバイスの形をしていてもよい。
【００７２】
[0076]  図示される専用コンピューティングプラットローム４００として、１つまたは複数の接続４０６（たとえば、１つまたは複数の電気導体、１つまたは複数の導電性経路、１つまたは複数のバス、１つまたは複数の光ファイバ経路、１つまたは複数の回路、１つまたは複数のバッファ、１つまたは複数の送信機、１つまたは複数の受信機など）を介してメモリ４０４に結合された（たとえば、本明細書で提供される技法に従ってデータ処理を実行するための、装置１１２−１）１つまたは複数の処理ユニット４０２を備え得る。処理ユニット４０２は、たとえば、ハードウェアまたはハードウェアおよびソフトウェアの組合せで実装され得る。処理ユニット４０２は、データコンピューティング手順またはプロセスの少なくとも一部分を実行するように構成可能な１つまたは複数の回路を表し得る。限定ではなく、例として、処理ユニットは、１つもしくは複数のプロセッサ、コントローラ、マイクロプロセッサ、マイクロコントローラ、特定用途向け集積回路、デジタル信号プロセッサ、プログラマブル論理デバイス、フィールドプログラマブルゲートアレイなど、またはそれらの任意の組合せを含み得る。
【００７３】
[0077]  メモリ４０４は任意のデータ記憶機構を表し得る。たとえば、メモリ４０４は、１次メモリ４０４−１および／または２次メモリ４０４−２を含み得る。たとえば、１次メモリ４０４−１は、ランダムアクセスメモリ、読取り専用メモリなどを備え得る。この例では処理ユニットとは別個のものとして示されているが、１次メモリの全部または一部は、電子デバイス１１０内の処理ユニット４０２または他の同様の回路内に設けられるか、またはさもなければそのような回路と共設／結合され得ることを理解されたい。２次メモリ４０４−２は、たとえば、１次メモリと同じもしくは同様のタイプのメモリ、および／または、たとえば、ディスクドライブ、光ディスクドライブ、テープドライブ、固体動き状態メモリドライブなど、１つもしくは複数のデータ記憶デバイスもしくはシステムを備え得る。
【００７４】
[0078]  いくつかの実装形態では、２次メモリは、非一時的コンピュータ可読媒体４２０を動作可能に受容するか、または場合によってはそれに結合するように構成され得る。メモリ４０４および／または非一時的コンピュータ可読媒体４２０は、たとえば、本明細書で提供されるような適用可能技法に従って、データ処理を実行する際に使用するための命令４２２を備え得る。
【００７５】
[0079]  専用コンピューティングプラットフォーム４００は、たとえば、１つまたは複数のネットワークインターフェースユニット４０８をさらに備え得る。ネットワークインターフェースユニット４０８は、たとえば、１つまたは複数の受信機４１０および１つまたは複数の送信機４１２によって表される、１つまたは複数のワイヤードおよび／またはワイヤレス通信インターフェースを備え得る。いくつかの実装形態では、ネットワークインターフェースユニット４０８は、１つまたは複数の送受信機などを備え得ることを理解されたい。さらに、図示されないが、ネットワークインターフェースユニット４０８は、通信インターフェース機能／能力を考慮して必要に応じて１つまたは複数のアンテナおよび／または他の回路を備え得ることを理解されたい。
【００７６】
[0080]  いくつかの例示的な実装形態によれば、たとえば、ネットワークインターフェースユニット４０８は、たとえば、電話システム、ローカルエリアネットワーク、広域ネットワーク、パーソナルエリアネットワーク、イントラネット、インターネットなど、様々なワイヤード通信ネットワークとともに使用するために可能にされ得る。
【００７７】
[0081]  いくつかの例示的な実装形態によれば、ネットワークインターフェースユニット４０８および／または５０８（図５参照）は、たとえば、ワイヤレス広域ネットワーク（ＷＷＡＮ）、ワイヤレスローカルエリアネットワーク（ＷＬＡＮ）、ワイヤレスパーソナルエリアネットワーク（ＷＰＡＮ）などの様々なワイヤレス通信ネットワークとともに使用するために可能にされ得る。「ネットワーク」および「システム」という用語は、本明細書では互換的に使用され得る。ＷＷＡＮは、符号分割多元接続（ＣＤＭＡ）ネットワーク、時分割多元接続（ＴＤＭＡ）ネットワーク、周波数分割多元接続（ＦＤＭＡ）ネットワーク、直交周波数分割多元接続（ＯＦＤＭＡ）ネットワーク、シングルキャリア周波数分割多元接続（ＳＣ−ＦＤＭＡ）ネットワークなどであり得る。ＣＤＭＡネットワークは、ほんのいくつかの無線技術を挙げれば、ｃｄｍａ２０００、広帯域ＣＤＭＡ（Ｗ−ＣＤＭＡ（登録商標））、時分割同期符号分割多元接続（ＴＤ−ＳＣＤＭＡ）などの１つまたは複数の無線アクセス技術（ＲＡＴ：radio access technology）を実装し得る。ここで、ｃｄｍａ２０００は、ＩＳ−９５規格、ＩＳ−２０００規格、およびＩＳ−８５６規格に従って実装される技術を含み得る。ＴＤＭＡネットワークは、モバイル通信用グローバルシステム（ＧＳＭ（登録商標）：Global System for Mobile Communications）、デジタルアドバンストモバイルフォンシステム（Ｄ−ＡＭＢＳ：Digital Advanced Mobile Phone System能力）、または何らかの他のＲＡＴを実装し得る。ＧＳＭおよびＷ−ＣＤＭＡは、「第３世代パートナーシッププロジェクト」（３ＧＰＰ：3rd Generation Partnership Project）と称する団体からの文書に記載されている。ｃｄｍａ２０００は、「第３世代パートナーシッププロジェクト２」（「３ＧＰＰ２」）と称する団体からの文書に記載されている。３ＧＰＰおよび３ＧＰＰ２の文書は公開されている。たとえば、ＷＬＡＮは、ＩＥＥＥ８０２．１１ｘネットワークを含み得、ＷＰＡＮは、Ｂｌｕｅｔｏｏｔｈ（登録商標）ネットワーク、ＩＥＥＥ８０２．１５ｘを含み得る。ワイヤレス通信ネットワークは、たとえば、ロングタームエボリューション（ＬＴＥ：Long Term Evolution）、アドバンストＬＴＥ、ＷｉＭＡＸ（登録商標）、ウルトラモバイルブロードバンド（ＵＭＢ：Ultra Mobile Broadband）など、いわゆる次世代技術（たとえば、「４Ｇ」）を含み得る。さらに、通信インターフェース４０８は、１つまたは複数の他のデバイスとの赤外線ベース通信をさらに提供し得る。ＷＬＡＮは、たとえば、ＩＥＥＥ８０２．１１ｘネットワークを備え得、ＷＰＡＮは、たとえば、Ｂｌｕｅｔｏｏｔｈネットワーク、ＩＥＥＥ８０２．１５ｘを備え得る。本明細書で説明されたワイヤレス通信実装形態はまた、ＷＷＡＮ、ＷＬＡＮまたはＷＰＡＮの任意の組合せとともに使用され得る。
【００７８】
[0082]  電子デバイス１１０は、たとえば、１つまたは複数の入出力ユニット４１４をさらに備え得る。入出力ユニット４１４は、１つもしくは複数の他のデバイスおよび／またはユーザから入力を取得し、ならびに／あるいは１つもしくは複数の他のデバイスおよび／またはユーザに出力を与えるために使用され得る、１つまたは複数のデバイスまたは他の同様の機構を表し得る。したがって、たとえば、入出力ユニット４１４は、１つまたは複数のユーザ入力を受信するために使用され得る、様々なボタン、スイッチ、タッチパッド、トラックボール、ジョイスティック、タッチスクリーン、キーボードなどを備え得る。いくつかの事例では、入出力ユニット４１４は、ユーザのための視覚出力、可聴出力、および／または触覚出力を生成する際に使用され得る様々なデバイスを備え得る。たとえば、入出力ユニット４１４は、ディスプレイ機構上で、ビデオディスプレイ、グラフィカルユーザインターフェースなどを提示するために使用され得る。
【００７９】
[0083]  次に、代表的なモバイルデバイス１０２−１、および／またはモバイルデバイス１０２−１にプロビジョニングされた装置１０４−１の一部としてプロビジョニングされ得る例示的な専用コンピューティングプラットフォーム５００のいくつかの特徴を示す概略ブロック図である図５に注目する。専用コンピューティングプラットフォーム５００は同様に、本明細書で提示されるように１つまたは複数の他のモバイルデバイスの一部として提供され得る。
【００８０】
[0084]  図示される専用コンピューティングプラットローム５００は、１つまたは複数の接続５０６（たとえば、１つまたは複数の電気導体、１つまたは複数の導電性経路、１つまたは複数のバス、１つまたは複数の光ファイバ経路、１つまたは複数の回路、１つまたは複数のバッファ、１つまたは複数の送信機、１つまたは複数の受信機など）を介してメモリ５０４に結合された１つまたは複数の処理ユニット５０２（たとえば、本明細書で提供される技法に従ってデータ処理を実行するための、装置１０４−１）を備え得る。処理ユニット５０２は、たとえば、ハードウェアまたはハードウェアおよびソフトウェアの組合せで実装され得る。処理ユニット５０２は、データコンピューティング手順またはプロセスの少なくとも一部分を実行するように構成可能な１つまたは複数の回路を表し得る。限定ではなく、例として、処理ユニットは、１つもしくは複数のプロセッサ、コントローラ、マイクロプロセッサ、マイクロコントローラ、特定用途向け集積回路、デジタル信号プロセッサ、プログラマブル論理デバイス、フィールドプログラマブルゲートアレイなど、またはそれらの任意の組合せを含み得る。
【００８１】
[0085]  メモリ５０４は任意のデータ記憶機構を表し得る。たとえば、メモリ５０４は、１次メモリ５０４−１および／または２次メモリ５０４−２を含み得る。たとえば、１次メモリ５０４−１は、ランダムアクセスメモリ、読取り専用メモリなどを備え得る。この例では処理ユニットとは別個なものとして示されるが、１次メモリのすべてまたは一部は、処理ユニット５０２またはモバイルデバイス１０２内の他の同様の回路内に設けられてよく、または場合によっては、それらと共設／結合されてよいことを理解されたい。２次メモリ５０４−２は、たとえば、１次メモリと同じもしくは同様のタイプのメモリ、および／または、たとえば、ディスクドライブ、光ディスクドライブ、テープドライブ、固体動き状態メモリドライブ（solid motion state memory drive）など、１つもしくは複数のデータ記憶デバイスもしくはシステムを備え得る。
【００８２】
[0086]  いくつかの実装形態では、２次メモリは、非一時的コンピュータ可読媒体５２０を動作可能に受容するか、または場合によってはそれに結合するように構成され得る。メモリ５０４および／または非一時的コンピュータ可読媒体５２０は、たとえば、本明細書で提供されるような適用可能技法に従って、データ処理を実行する際に使用するための命令５２２を備え得る。
【００８３】
[0087]  専用コンピューティングプラットフォーム５００は、たとえば、１つまたは複数のネットワークインターフェースユニット５０８をさらに備え得る。ネットワークインターフェースユニット５０８は、たとえば、１つまたは複数の受信機５１０と１つまたは複数の送信機５１２とによって表される、１つまたは複数のワイヤードおよび／またはワイヤレス通信インターフェースを備え得る。いくつかの実装形態では、ネットワークインターフェースユニット５０８は、１つまたは複数の送受信機などを備え得ることを理解されたい。さらに、図示されないが、ネットワークインターフェースユニット５０８は、通信インターフェース機能／能力を考慮して必要に応じて１つもしくは複数のアンテナおよび／または他の回路を備え得ることを理解されたい。
【００８４】
[0088]  いくつかの例示的な実装形態によれば、たとえば、ネットワークインターフェースユニット５０８は、たとえば、電話システム、ローカルエリアネットワーク、広域ネットワーク、パーソナルエリアネットワーク、イントラネット、インターネットなど、様々なワイヤード通信ネットワークとともに使用するために可能にされ得る。
【００８５】
[0089]  モバイルデバイス１０２−１は、たとえば、１つまたは複数の入出力ユニット５１４をさらに備え得る。入出力ユニット５１４は、１つもしくは複数の他のデバイスおよび／またはユーザから入力を取得し、ならびに／あるいは１つもしくは複数の他のデバイスおよび／またはユーザに出力を与えるために使用され得る、１つまたは複数のデバイスまたは他の同様の機構を表し得る。したがって、たとえば、入出力ユニット５１４は、１つまたは複数のユーザ入力を受信するために使用され得る様々なボタン、スイッチ、タッチパッド、トラックボール、ジョイスティック、タッチスクリーン、キーボード、マイクロフォン、カメラなどを備え得る。いくつかの事例では、入出力ユニット５１４は、ユーザのための視覚出力、可聴出力、および／または触覚出力を生成する際に使用され得る様々なデバイスを備え得る。たとえば、入出力ユニット５１４は、ディスプレイ機構および／またはオーディオ機構を介して、ビデオディスプレイ、グラフィカルユーザインターフェース、測位および／またはナビゲーション関係の情報、電子地図の視覚的表現、ルーティング方向などを提示するために使用され得る。
【００８６】
[0090]  モバイルデバイス１０２−１は、たとえば、１つまたは複数のセンサー５１６を備え得る。たとえば、センサー５１６は、特定の環境で発生し得る、ある種の大気現象または他の類似の現象を測定する際に有用であり得る、１つまたは複数の環境センサーを表し得る。たとえば、センサー５１６は、特定の環境および／またはモバイルデバイス１０２−１のそこでの移動のある種の特徴を検出する際に有用であり得る、１つまたは複数の慣性センサーを表すことが可能である。したがって、たとえば、（１つまたは複数の）センサー５１６は、１つまたは複数の加速度計、１つまたは１つまたは複数のジャイロスコープまたはジャイロメータ、１つまたは複数の磁力計など、１つまたは複数の気圧計、１つまたは複数の温度計、１つまたは複数の粒子検出器などを備え得る。さらに、いくつかの事例では、センサー５１６は、マイクロフォン、カメラ、光センサーなど、１つまたは複数の入力デバイスを備えることが可能であり、および／またはそれらの形をとり得る。
【００８７】
[0091]  ＳＰＳ受信機５１８は、１つまたは複数のアンテナ（図示せず）を介してＳＰＳ信号１３４を捕捉および捕捉することが可能であり得る。ＳＰＳ受信機５１８は、たとえば、モバイルデバイスが屋内環境１０８の外側に位置するときなどの可能な場合に、モバイルデバイス１０２−１のロケーションおよび動きを推定するために捕捉されたＳＰＳ信号１３４の全体または一部を処理し得る。いくつかの事例では、ＳＰＳ受信機５１８は、捕捉されたＳＰＳ信号を全体的にもしくは部分的に処理するため、および／またはモバイルデバイス１０２−１の推定されたロケーションを計算するために利用されることも可能な、１つまたは複数の処理ユニット（図示せず）、たとえば、１つまたは複数の汎用プロセッサ、１つまたは複数のデジタル信号プロセッサＤＳＰ、１つまたは複数の専用プロセッサを備え得る。いくつかの実装形態では、捕捉されたＳＰＳ信号のそのような処理のすべてまたは一部は、ＳＰＳ受信機５１８と連携して、たとえば、処理ユニット５０２、メモリ５０４など、モバイルデバイス１０２−１内の他の処理能力によって実行され得る。ＳＰＳまたは測位動作を実装する際に使用するための他の信号の記憶は、メモリ５０４またはレジスタ（図示せず）中で実装され得る。
【００８８】
[0092]  いくつかの事例では、センサー５１６は、メモリ５０４中に記憶され、１つまたは複数の測位機能に少なくとも部分的に基づいて、たとえば、測位またはナビゲーション動作を対象とするアプリケーションなどの１つまたは複数のアプリケーションをサポートするＤＰＳ（図示せず）または処理ユニット５０２によって処理され得るアナログまたはデジタル信号を生成し得る。
【００８９】
[0093]  処理ユニット５０２は、ネットワークインターフェースユニット５０８の受信機５１０またはＳＰＳ受信機５０９において捕捉およびダウンコンバートされた信号のベースバンド処理を実行することが可能であり得る専用モデムプロセッサなどを備え得る。同様に、モデムプロセッサなどは、（ワイヤレス）送信機５１２による送信のためにアップコンバートされるべき信号のベースバンド処理を実行し得る。代替実装形態では、専用モデムプロセッサを有する代わりに、ベースバンド処理が汎用プロセッサまたはＤＳＰ（たとえば、汎用／アプリケーションプロセッサ）によって実行され得る。ただし、これらはベースバンド処理を実行し得る構造の例にすぎず、特許請求される主題がこの点について限定されないことを理解されたい。さらに、本明細書で提供される例示的な技法は、種々の異なる電子デバイス、モバイルデバイス、送信デバイス、環境、位置決定モードなどに関して適合され得ることを理解されたい。
【００９０】
[0094]  次に、いくつかの例示的な測位支援データ６００が実装形態による例示的な段階的ＰＡＤ１０６’を備えるように例示されている図６に注目する。図示されているように、測位支援データ６００は段階的ＰＡＤ１０６’内の３つの段階、すなわち、第１の段階のＰＡＤ１０７−１’、第２の段階１０７−２’、および第３の段階１０７−３’に分割され得る。段階的ＰＡＤ１０６’内の３つの例示的な段階が「いれ子（nested）」フォーマットを有するように示されているが、ＰＡＤのそのような段階が様々な異なるフォーマットで配置され得ることを理解されたい。したがって、請求される主題は、任意の特定のフォーマットに限定されるものではなく、および／または必ずしも特定の種類の測位支援データに限定されるとは限らない。
【００９１】
[0095]  このことを念頭に置いて、この例では、第１の段階のＰＡＤ１０７−１’は、個々のＡＰを、たとえばそのＭＡＣ  ＩＤおよびロケーション（たとえば、ｘ、ｙ、ｚ）によって特定する測位支援データを備え得る。この例では、個々のＡＰにはＡＰインデックス番号が割り当てられている。ここで、たとえば、ＡＰインデックス番号「１」が割り当てられた第１のＡＰはＭＡＣ  ＩＤが０００００００１０００でロケーションがｘ＝０、ｙ＝０、およびｚ＝３であり、ＡＰインデックス番号「２」が割り当てられた第２のＡＰはＭＡＣ  ＩＤが０００００００２０００でロケーションがｘ＝１０、ｙ＝０、およびｚ＝３であり、ＡＰインデックス番号「３」が割り当てられた第３のＡＰはＭＡＣ  ＩＤが０００００００３０００でロケーションがｘ＝０、ｙ＝１０、およびｚ＝３である。
【００９２】
[0096]  図示されているように、第２の段階１０７−２’は、個々のインデックス付きＡＰに関するさらなる測位支援データを備え得る。一例として、そのような測位支援データは、ほんの数例を挙げると、ＰａｔｈＬｏｓｓＥｘｐ（ｎ）、ＲＳＳＩ０（ｄＢｍ）、およびＡｖｇＭｕｌｔｉｐａｔｈＤｅｌａｙ（ｍ）を指定し得る。ここで、たとえば、第２の段階１０７−２’は、第１のインデックス付きＡＰにはＰａｔｈＬｏｓｓＥｘｐ（ｎ）＝２．０、ＲＳＳＩ０（ｄＢｍ）＝−３５、ＡｖｇＭｕｌｔｉｐａｔｈＤｅｌａｙ（ｍ）＝０、第２のインデックス付きＡＰにはＰａｔｈＬｏｓｓＥｘｐ（ｎ）＝２．５、ＲＳＳＩ０（ｄＢｍ）＝−４０、およびＡｖｇＭｕｌｔｉｐａｔｈＤｅｌａｙ（ｍ）＝１０、第３のインデックス付きＡＰにはＰａｔｈＬｏｓｓＥｘｐ（ｎ）＝３．０、ＲＳＳＩ０（ｄＢｍ）＝−４５、およびＡｖｇＭｕｌｔｉｐａｔｈＤｅｌａｙ（ｍ）＝２０を指定する。
【００９３】
[0097]  さらに図示されているように、第３の段階１０７−３’は、個々のインデックス付きＡＰに関するさらなる測位支援データを備え得る。一例として、そのような測位支援データは、１つまたは複数のインデックス付きＡＰに関して、ＲＳＳＩヒートマップ（heatmap）、ＲＴＴヒートマップ、およびルーティンググラフに対応し得る適用可能なデータ、機能など（ここでは「データブロブ（datablob）」という語によって表される）を指定する。
【００９４】
[0098]  本明細書で説明した技法は、特定の特徴および／または例に従ってアプリケーションに応じて様々な手段によって実装され得る。たとえば、そのような方法は、ソフトウェアとともにハードウェア、ファームウェア、および／またはそれらの組合せで実装され得る。ハードウェア実装の場合、たとえば、処理ユニットは、１つもしくは複数の特定用途向け集積回路（ＡＳＩＣ）、デジタル信号プロセッサ（ＤＳＰ）、デジタル信号処理デバイス（ＤＳＰＤ）、プログラマブル論理デバイス（ＰＬＤ）、フィールドプログラマブルゲートアレイ（ＦＰＧＡ）、プロセッサ、コントローラ、マイクロコントローラ、マイクロプロセッサ、電子デバイス、本明細書で説明する機能を実装するように設計された他のデバイスユニット、および／またはそれらの組合せの中で実装され得る。
【００９５】
[0099]  上記の詳細な説明では、特許請求される主題の完全な理解を与えるために多数の具体的な詳細が記載されている。ただし、特許請求される主題は、これらの具体的な詳細なしに実施され得ることが当業者には理解されよう。他の事例では、特許請求される主題を不明瞭にしないように、当業者には既知であろう方法および装置については詳細に説明していない。
【００９６】
[00100]  上記の詳細な説明のいくつかの部分は、特定の装置または専用コンピューティングデバイスまたはプラットフォームのメモリ内に記憶された２値デジタル電子信号の演算のアルゴリズムまたは記号表現に関して提示された。この特定の明細書の文脈では、特定の装置などの用語は、プログラムソフトウェアからの命令に従って特定の機能を実行するようにプログラムされた後の汎用コンピュータを含む。アルゴリズムの説明または記号表現は、信号処理または関連技術の当業者が各自の仕事の本質を他の当業者に伝達するために使用する技法の例である。アルゴリズムは、本明細書では、また一般に、所望の結果につながる自己矛盾のない一連の演算または同様の信号処理であると考えられる。このコンテキストでは、演算または処理は物理量の物理的操作を伴う。必ずしもそうとは限らないが、一般に、電子信号は情報を表すので、そのような量は、記憶、転送、組合せ、比較、または他の操作が可能な、電気信号または磁気信号の形態をとり得る。主に一般的な用法という理由で、そのような信号をビット、データ、値、要素、記号、文字、項、数、数字、情報などと呼ぶことは時々便利であることがわかっている。ただし、これらまたは同様の用語はすべて、適切な物理量に関連すべきものであり、便利なラベルにすぎないことを理解されたい。別段に動き明記されていない限り、以下の説明から明らかなように、本明細書全体にわたって、「処理する」、「算出する」、「計算する」、「判断する」、「生成する」、「取得する」、「修正する」、「選択する」、「識別する」などの用語を利用する説明は、専用コンピュータまたは同様の専用電子コンピューティングデバイスのような、特定の装置の動作または処理を指すことを理解されたい。したがって、本明細書の文脈では、専用コンピュータまたは同様の専用電子コンピューティングデバイスは、専用コンピュータまたは同様の専用電子コンピューティングデバイスのメモリ、レジスタ、もしくは他の情報記憶デバイス、送信デバイス、またはディスプレイデバイス内の電子的または磁気的な物理量として一般に表される信号を操作または変換することが可能である。この特定の特許出願の文脈では、「特定の装置」という用語は、プログラムソフトウェアからの命令に従って特定の機能を実行するようにプログラムされた後の汎用コンピュータを含み得る。
【００９７】
[00101]  明細書で使用する「および」、「または」、および「および／または」という用語は、そのような用語が使用される文脈に少なくとも部分的に依存することも予想される様々な意味を含み得る。一般に、「または」がＡ、ＢまたはＣなどのリストを関連付けるために使用される場合、ここで包含的な意味で使用されるＡ、Ｂ、およびＣを意味し、ならびにここで排他的な意味で使用されるＡ、ＢまたはＣを意味するものとする。さらに、本明細書で使用する「１つまたは複数」という用語は、単数形の任意の特徴、構造、もしくは特性について説明するために使用され得るか、または複数の特徴、構造、もしくは特性、または特徴、構造、もしくは特性の何らかの他の組合せについて説明するために使用され得る。しかし、これは例示的な例にすぎないこと、および特許請求する主題がこの例に限定されないことに留意されたい。
【００９８】
[00102]  現在例示的な特徴と考えられることについて例示し説明したが、特許請求する主題から逸脱することなく、様々な他の変更が行われ得、等価物が代用され得ることが、当業者には理解されよう。さらに、本明細書に記載の中心概念から逸脱することなく、特許請求する主題の教示に特定の状況を適合させるために多くの変更が行われ得る。
【００９９】
[00103]  したがって、特許請求する主題は、開示した特定の例に限定されず、そのような特許請求する主題は、添付の特許請求の範囲の範囲内に入るすべての態様、およびその均等物をも含むものとする。
【図１】
2016518584.tif 000003
【図２】
2016518584.tif 000004
【図３】
2016518584.tif 000005
【図４】
2016518584.tif 000006
【図５】
2016518584.tif 000007
【図６】
2016518584.tif 000008
【国際調査報告】
2016518584.tif 000009
2016518584.tif 000010
2016518584.tif 000011